(57)【要約】【課題】遊技者を混乱させることなく当選役を示唆することが可能な遊技機を提供する。【解決手段】スロットマシン１０では、前面扉１２の略中央左部に設けられたスタートレバー７１が操作されると、表示窓３１Ｌ，３１Ｍ，３１Ｒを介して視認可能なリール４２Ｌ，４２Ｍ，４２Ｒが回転を開始する。そして、ストップスイッチ７２〜７４が操作されると、各スイッチ７２〜７４に対応したリール４２Ｌ，４２Ｍ，４２Ｒが停止するように構成されている。また、前面扉１２の上部にはスピーカ１４や補助表示部１５が設けられており、ＢＢに当選している場合にはナビ演出が行われる。かかるナビ演出では、ＢＢ当選を示唆する「７」図柄と、有効ライン上に停止した図柄とが補助表示部１５に表示される構成となっている。【選択図】      図１
2014110963.tif 000002
【特許請求の範囲】
【請求項１】
複数種の絵柄を所定方向に循環表示させる複数の循環表示手段と、
前記各循環表示手段の循環表示を開始させるべく操作される始動操作手段と、
該始動操作手段の操作に基づいて役の抽選を行う抽選手段と、
前記始動操作手段の操作に基づいて前記各循環表示手段の循環表示を開始させる循環制御手段と、
前記各循環表示手段の循環表示を個別に停止させるべく操作される複数の停止操作手段と、
前記各停止操作手段の操作に基づいて、該各停止操作手段の操作タイミングから予め定めた規定期間内に、操作された停止操作手段と対応する循環表示手段の循環表示を停止させるように、且つ、前記役の抽選に当選した場合には、遊技機前方から視認可能な有効位置に当選役と対応する絵柄の組合せを形成させ得るように、前記各循環表示手段を停止制御する停止制御手段と、
前記各循環表示手段の循環表示の停止後に、前記当選役と対応する絵柄の組合せが前記有効位置に形成された場合、遊技者に特典を付与する特典付与手段と
を備えた遊技機において、
前記役の抽選に当選したことに基づいて、前記当選役を示唆する示唆演出を行う示唆演出手段と、
前記停止操作手段の操作に基づいて前記有効位置に停止する有効絵柄を把握する有効絵柄把握手段と
を備え、
前記複数の循環表示手段のうち少なくとも１つの循環表示手段を、前記停止操作手段の操作タイミングに関わらず前記規定期間内に前記有効位置に到達し得る所定絵柄と、前記停止操作手段が所定のタイミングで操作された場合に限り前記規定期間内に前記有効位置に到達し得る特定絵柄とを少なくとも循環表示させる構成とし、
前記示唆演出手段は、
前記当選役と、前記有効絵柄把握手段の把握した有効絵柄を含む絵柄の組合せと対応する役を前記示唆演出にて示唆することを特徴とする遊技機。
【発明の詳細な説明】
【技術分野】
【０００１】
本発明は、スロットマシン等の遊技機に関するものである。
【背景技術】
【０００２】
複数のリールを回転させたあとに停止させる遊技機としては、例えばスロットマシンがある。スロットマシンでは、各リールの外周部に複数の図柄が付与されており、表示窓を通じて各リールに付与された図柄の一部が視認可能な構成となっている。そして、遊技者がメダルを投入することで投入されたメダル数に応じた有効ラインが設定され、その後、遊技者がスタートレバーを操作することでスロットマシンの内部にてボーナス役や小役等の各役の抽選が行われると共に各リールが回転を開始し、各リールが回転を開始した後にストップスイッチを操作したり所定時間が経過したりすることで各リールが順次停止して１回のゲームが終了する。このとき、各リールは、内部抽選により当選となった図柄の組合せが予め設定されたいずれかの有効ライン上に停止し得るように、或いは、内部抽選により当選となっていない図柄の組合せがいずれの有効ライン上にも停止しないように、ストップスイッチが操作されたタイミングから所定図柄数分だけ回転させた後に停止させる等の停止制御が行われる。そして、全てのリールが回転を停止した際に有効ライン上に当選となった図柄の組合せが停止すると入賞となり、例えば小役入賞が成立した場合には所定枚数のメダルが払い出される特典が遊技者に付与され、ボーナス役入賞が成立した場合には遊技状態がビッグボーナスゲームやレギュラーボーナスゲーム等の遊技者に有利なボーナスゲーム（特別遊技状態）に移行する特典が遊技者に付与される。したがって、遊技者は、変動する図柄を見て、そして所定の図柄が有効ライン上に停止するようストップスイッチを操作することが一般的であり、換言すれば、遊技者が遊技に積極参加できることがスロットマシンの特徴であるといえる。
【０００３】
かかるスロットマシンでは、役の抽選に当選したにも関わらず入賞とならない、所謂取りこぼしの発生する場合がある。これは、ストップスイッチの操作されたタイミングからリールを回転させることのできる最大図柄数以上に離れて配置された図柄があるためである。また、当選した役と当選していない役の入賞が同時に成立する複合入賞を回避させた結果として取りこぼしが発生する場合もある。
【０００４】
そこで近年では、役の抽選結果を示唆する示唆演出を行うスロットマシンが提案されている（例えば特許文献１参照）。かかる示唆演出を行うことにより、例えば取りこぼしの発生し得る役に当選したことを示唆することで取りこぼしの発生機会を抑制したり、ボーナス役に当選しているにも関わらず遊技者が遊技を終了してしまう機会を抑制したりすることが可能となる。ところが、遊技者はボーナスゲームに移行することを期待しながら遊技を行うことが一般的であるため、小役当選の場合に小役を示唆する示唆演出を行い、ボーナス役当選の場合にボーナス役を示唆する示唆演出を行う構成とした場合、小役を示唆する示唆演出が行われた時点でボーナス役当選に対する期待感が損なわれてしまう可能性がある。そこで、ボーナス役当選の場合にボーナス役以外の例えば小役を示唆する示唆演出を行い、示唆された小役入賞が全リールの停止時に成立しない矛盾を通じてボーナス役当選を示唆するスロットマシンも提案されている。かかる構成の場合、仮に小役を示唆する示唆演出が行われた場合であってもボーナス役当選の余地を残すことが可能となるため、ボーナス役当選への期待感を持続させることが可能となる。
【０００５】
しかしながら、演出結果とリールの停止結果の矛盾を通じてボーナス役当選を示唆する構成とした場合、遊技者が混乱してしまうという新たな問題の生じる恐れがある。仮に演出結果とリールの停止結果に矛盾が発生したとしても、かかる矛盾が取りこぼしによって生じたものなのか、ボーナス役当選を示唆する演出として生じたものなのかを判断することが困難だからである。また、例えば遊技の初心者等にあっては、演出結果とリールの停止結果が矛盾したことの意味を理解できない可能性もある。
【０００６】
なお、以上の問題はスロットマシンに限らず、複数種の絵柄を変動表示させ、その後に変動表示を終了させる他の遊技機にも該当する問題である。
【先行技術文献】
【特許文献】
【０００７】
【特許文献１】特開２００２−３５５３６４号公報
【発明の概要】
【発明が解決しようとする課題】
【０００８】
本発明は上記事情に鑑みてなされたものであり、遊技者を混乱させることなく当選役を示唆することが可能な遊技機を提供することを目的とするものである。
【課題を解決するための手段】
【０００９】
上記課題を解決するため、請求項１記載の発明は、複数種の絵柄を所定方向に循環表示させる複数の循環表示手段と、前記各循環表示手段の循環表示を開始させるべく操作される始動操作手段と、該始動操作手段の操作に基づいて役の抽選を行う抽選手段と、前記始動操作手段の操作に基づいて前記各循環表示手段の循環表示を開始させる循環制御手段と、前記各循環表示手段の循環表示を個別に停止させるべく操作される複数の停止操作手段と、前記各停止操作手段の操作に基づいて、該各停止操作手段の操作タイミングから予め定めた規定期間内に、操作された停止操作手段と対応する循環表示手段の循環表示を停止させるように、且つ、前記役の抽選に当選した場合には、遊技機前方から視認可能な有効位置に当選役と対応する絵柄の組合せを形成させ得るように、前記各循環表示手段を停止制御する停止制御手段と、前記各循環表示手段の循環表示の停止後に、前記当選役と対応する絵柄の組合せが前記有効位置に形成された場合、遊技者に特典を付与する特典付与手段とを備えた遊技機において、前記役の抽選に当選したことに基づいて、前記当選役を示唆する示唆演出を行う示唆演出手段と、前記停止操作手段の操作に基づいて前記有効位置に停止する有効絵柄を把握する有効絵柄把握手段とを備え、前記複数の循環表示手段のうち少なくとも１つの循環表示手段を、前記停止操作手段の操作タイミングに関わらず前記規定期間内に前記有効位置に到達し得る所定絵柄と、前記停止操作手段が所定のタイミングで操作された場合に限り前記規定期間内に前記有効位置に到達し得る特定絵柄とを少なくとも循環表示させる構成とし、前記示唆演出手段は、前記当選役と、前記有効絵柄把握手段の把握した有効絵柄を含む絵柄の組合せと対応する役を前記示唆演出にて示唆することを特徴とする。
【発明の効果】
【００１０】
本発明によれば、遊技者を混乱させることなく当選役を示唆することができる。
【図面の簡単な説明】
【００１１】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】左リールの組立斜視図。
【図７】各リールを構成する帯状ベルトの展開図。
【図８】入賞態様とメダル払出枚数との関係を示す説明図。
【図９】スロットマシンのブロック回路図。
【図１０】ＮＭＩ割込み処理を示すフローチャート。
【図１１】タイマ割込み処理を示すフローチャート。
【図１２】停電時処理を示すフローチャート。
【図１３】メイン処理を示すフローチャート。
【図１４】当選確率設定処理を示すフローチャート。
【図１５】通常処理を示すフローチャート。
【図１６】抽選処理を示すフローチャート。
【図１７】抽選テーブルの一例を示す図。
【図１８】スベリテーブルの一例を示す図。
【図１９】スベリテーブル設定処理を示すフローチャート。
【図２０】リール制御処理を示すフローチャート。
【図２１】スベリテーブル第１変更処理を示すフローチャート。
【図２２】入賞確定用スベリテーブルの一例を示す図。
【図２３】スベリテーブル第２変更処理を示すフローチャート。
【図２４】第２当選番号時処理を示すフローチャート。
【図２５】ナビ図柄設定処理を示すフローチャート。
【図２６】メダル払出処理を示すフローチャート。
【図２７】ボーナスゲーム処理を示すフローチャート。
【図２８】ナビ演出処理を示すフローチャート。
【図２９】ナビ演出の一実施態様を示す説明図。
【発明を実施するための形態】
【００１２】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１３】
手段１．複数種の絵柄を所定方向に循環表示させる複数の循環表示手段（リール４２Ｌ，４２Ｍ，４２Ｒ及びステッピングモータ６１Ｌ，６１Ｍ，６１Ｒ）と、
前記各循環表示手段の循環表示を開始させるべく操作される始動操作手段（スタートレバー７１）と、
該始動操作手段の操作に基づいて役の抽選を行う抽選手段（主制御装置１３１の抽選処理機能）と、
前記始動操作手段の操作に基づいて前記各循環表示手段の循環表示を開始させる循環制御手段（主制御装置１３１の回転開始処理機能Ｓ９０１）と、
前記各循環表示手段の循環表示を個別に停止させるべく操作される複数の停止操作手段（ストップスイッチ７２〜７４）と、
前記各停止操作手段の操作に基づいて、該各停止操作手段の操作タイミングから予め定めた規定期間（１９０ｍｓｅｃ）内に、操作された停止操作手段と対応する循環表示手段の循環表示を停止させるように、且つ、前記役の抽選に当選した場合には、遊技機前方から視認可能な有効位置（有効ライン）に当選役と対応する絵柄の組合せを形成させ得るように、前記各循環表示手段を停止制御する停止制御手段（主制御装置１３１の停止制御処理機能Ｓ９０２〜Ｓ９０９）と、
前記各循環表示手段の循環表示の停止後に、前記当選役と対応する絵柄の組合せが前記有効位置に形成された場合、遊技者に特典を付与する特典付与手段（主制御装置１３１のメダル払出処理機能、ボーナスゲーム処理機能等）と
を備えた遊技機において、
前記役の抽選に当選したことに基づいて、前記当選役を示唆する示唆演出を行う示唆演出手段（スピーカ１４、補助表示部１５、表示制御装置１１１）と、
前記停止操作手段の操作に基づいて前記有効位置に停止する有効絵柄を把握する有効絵柄把握手段（主制御装置１３１の停止出目把握処理Ｓ１３０３）と
を備え、
前記複数の循環表示手段のうち少なくとも１つの循環表示手段を、前記停止操作手段の操作タイミングに関わらず前記規定期間内に前記有効位置に到達し得る所定絵柄（「リプレイ」図柄、「ベル」図柄）と、前記停止操作手段が所定のタイミングで操作された場合に限り前記規定期間内に前記有効位置に到達し得る特定絵柄（「スイカ」図柄、「７」図柄）とを少なくとも循環表示させる構成とし、
前記示唆演出手段は、
前記当選役と、前記有効絵柄把握手段の把握した有効絵柄を含む絵柄の組合せと対応する役を前記示唆演出にて示唆することを特徴とする遊技機。
【００１４】
手段１によれば、複数の循環表示手段のうち少なくとも１つの循環表示手段は、停止操作手段の操作タイミングに関わらず規定期間内に有効位置に到達し得る所定絵柄と、停止操作手段が所定のタイミングで操作された場合に限り規定期間内に有効位置に到達し得る特定絵柄とを少なくとも循環表示させるように構成されている。かかる構成とすることにより、遊技に積極参加できるという遊技機の特徴を高めることが可能となる。仮に全種類の絵柄を停止操作手段の操作タイミングに関わらず規定期間内に有効位置に到達し得るように循環表示させた場合、当選役と対応する絵柄の組合せを確実に有効位置に形成させることが可能となり、各循環表示手段の循環表示を個別に停止させるべく複数の停止操作手段を操作する遊技性が希薄化してしまうからである。
【００１５】
また、停止操作手段の操作に基づいて有効位置に停止する有効絵柄を把握し、当該有効絵柄を含む絵柄の組合せと対応する役を示唆演出にて示唆することにより、当選役を示唆する示唆演出と、遊技者による停止操作手段の操作とを密接に関連付けることが可能となり、遊技への積極関与を促すことが可能となる。さらに、示唆演出にて役を複数示唆することにより、遊技者を混乱させることなく当選役を示唆することが可能となる。循環表示手段の循環表示がすべて停止した際に有効絵柄を含む絵柄の組合せが形成されなかった場合、一般の遊技者であれば示唆された他方の役に当選していたと推測するからである。確かに、有効絵柄を把握することなく複数の役を示唆することも可能である。しかしながら、かかる構成とした場合、示唆した役と対応する絵柄の組合せを形成する絵柄がいずれも有効位置に停止しない可能性が生じ、遊技者をかえって混乱させてしまうことが懸念される。一方、有効絵柄を把握した上で示唆演出を行う構成とした場合、複数の役のうち少なくとも一方は循環表示手段の停止結果と関連した役が示唆されることとなるため、遊技者に比較的容易に当選役を推測させることが可能となる。以上の結果、遊技者を混乱させることなく当選役を示唆することが可能となる。
【００１６】
手段２．上記手段１において、前記示唆演出を行うか否かを決定する示唆演出決定手段（主制御装置１３１のナビ演出設定処理機能Ｓ７０９〜Ｓ７１４）を備え、該示唆演出決定手段は、前記特定絵柄を含む絵柄の組合せと対応する役に当選した場合に、前記示唆演出を行うと決定し得ることを特徴とする遊技機。
【００１７】
手段２によれば、示唆演出は、特定絵柄を含む絵柄の組合せと対応する役に当選した場合に行われることがある。特定絵柄を含む絵柄の組合せは、対応する役に当選している場合であっても、停止操作手段が所定のタイミングで操作されない限り有効位置に形成されることがない。故に、特定絵柄を含む絵柄の組合せと対応する役に当選した場合に示唆演出が行われる構成とすることにより、遊技者に停止操作手段を所定のタイミングで操作するよう促すことが可能となり、役の抽選に当選したにも関わらず特典が付与されない機会を低減させると共に、遊技への積極関与を促すことが可能となる。
【００１８】
手段３．上記手段１において、前記当選役として、前記有効位置に前記特定絵柄を含む特別組合せ（ＢＢ図柄の組合せ）が形成された場合に遊技状態が遊技者に有利な特別遊技状態（ＢＢゲーム）に移行される特典の付与される状態移行役（ＢＢ）を設定すると共に、前記役の抽選結果が前記状態移行役当選であって前記特別組合せが形成されなかった場合に前記状態移行役当選を留保記憶する留保記憶手段（主制御装置１３１）と、前記示唆演出を行うか否かを決定する示唆演出決定手段（主制御装置１３１のナビ演出設定処理機能Ｓ７０９〜Ｓ７１４）とを備え、
前記示唆演出決定手段は、前記役の抽選結果が前記状態移行役当選である場合又は前記留保記憶手段が前記状態移行役当選を留保記憶している場合に、前記示唆演出を行うと決定し得ることを特徴とする遊技機。
【００１９】
手段３によれば、示唆演出は、状態移行役に当選している場合に行われることがある。かかる構成とすることにより、状態移行役に当選しているにも関わらず遊技者が気付くことなく遊技を終了する機会を低減させることが可能となる。また、かかる構成においては、状態移行役と、有効絵柄を含む絵柄と対応する役が示唆されることとなるため、遊技者を混乱させることなく状態移行役に当選していることを示唆することが可能となる。遊技者は状態移行役当選を期待しながら遊技を行うことが一般的であるため、仮に遊技の初心者等であったとしても、有効位置に停止している有効絵柄を含む絵柄の組合せが形成されなかった以上は当選役が状態移行役であると推測するからである。
【００２０】
手段４．上記手段１乃至手段３のいずれかにおいて、前記示唆演出手段は、前記各循環表示手段が循環表示を開始してから循環表示手段のいずれかが停止した場合に、前記当選役と、前記有効絵柄把握手段の把握した有効絵柄を含む絵柄の組合せと対応する役を示唆することを特徴とする遊技機。
【００２１】
手段４によれば、各循環表示手段が循環表示を開始してから循環表示手段のいずれかが停止した場合に、当選役と、有効絵柄を含む絵柄の組合せと対応する役が示唆される。絵柄の組合せが有効位置に形成された場合に特典が付与される構成においては、循環表示手段の循環表示が停止する毎に示唆可能な役の種類が減少していくこととなる。故に、各循環表示手段のいずれかが停止した場合に役を示唆する構成とすることにより、示唆演出にて示唆する役の自由度が低下することを抑制することが可能となる。また、かかるタイミングで当選役の示唆を行う構成とすることにより、示唆された役と対応する絵柄の組合せを有効位置に形成させるべく停止操作手段を操作するよう促すことが可能となり、遊技への積極関与を好適に促すことが可能となる。
【００２２】
手段５．上記手段１乃至手段４のいずれかにおいて、前記示唆演出手段は、前記当選役と、前記有効絵柄を含む絵柄の組合せと対応する役を示唆する前までに、前記当選役を示唆することを報知する報知手段（表示制御装置１１１のナビ演出開始処理Ｓ１６０４）を備えることを特徴とする遊技機。
【００２３】
手段５によれば、当選役が示唆される場合には、その前までに当選役の示唆されることが報知される。かかる構成とすることにより、遊技者の望む特典と対応する絵柄を有効位置に停止させるべく停止操作手段を操作するよう遊技者を促すことが可能となり、遊技への積極参加を促すことが可能となる。また、かかる停止結果に基づいて役の示唆を行うことが可能となるため、特典が付与されることに対する遊技者の期待感を高めることが可能となる。
【００２４】
手段６．上記手段１乃至手段４のいずれかにおいて、前記示唆演出手段は、前記始動操作手段の操作に基づいて、前記当選役を示唆することを報知する報知手段（表示制御装置１１１のナビ演出開始処理Ｓ１６０４）を備えることを特徴とする遊技機。
【００２５】
手段６によれば、当選役が示唆される場合には、始動操作手段の操作に基づいて、当選役が示唆されることが報知される。かかる構成とすることにより、遊技者の望む特典と対応する絵柄を有効位置に停止させるべく停止操作手段を操作するよう、遊技の開始段階から遊技者を促すことが可能となり、遊技への積極参加を促すことが可能となる。また、かかる停止結果に基づいて役の示唆を行うことが可能となるため、特典が付与されることに対する遊技者の期待感を高めることが可能となる。
【００２６】
手段７．上記手段１乃至手段６のいずれかにおいて、前記示唆演出手段は、前記停止操作手段の全てが操作された後に、示唆した役のいずれが当選役であったかを教示することを特徴とする遊技機。
【００２７】
手段７によれば、停止操作手段の全てが操作された後に、示唆演出にて示唆された役のいずれが当選役であったのかが教示される。かかる構成とすることにより、遊技者の技量を問わず確実に当選役を把握させることが可能となり、遊技者が混乱することを好適に回避することが可能となる。
【００２８】
手段８．上記手段１乃至手段６のいずれかにおいて、前記示唆演出手段は、前記各循環表示手段の循環表示の停止後に、示唆した役のいずれが当選役であったかを教示することを特徴とする遊技機。
【００２９】
手段８によれば、各循環表示手段の循環表示が停止した後に、示唆演出にて示唆された役のいずれが当選役であったのかが教示される。かかる構成とすることにより、遊技者の技量を問わず確実に当選役を把握させることが可能となり、遊技者が混乱することを好適に回避することが可能となる。
【００３０】
手段９．上記手段１乃至手段８のいずれかにおいて、遊技媒体（メダル、仮想メダル）を受け入れる受入手段（主制御装置１３１の投入メダル検出センサ７５ａ及びクレジット投入検出センサ７７ａ〜７９ａ確認処理機能Ｓ２０７）と、
前記遊技媒体の受入に基づいて前記有効位置を複数設定する有効位置設定手段（主制御装置１３１のタイマ割込み処理機能）と、
前記有効絵柄把握手段の把握した各有効絵柄のいずれかを含む絵柄の組合せと対応する役から１つの役を選択する選択手段（主制御装置１３１のナビ図柄設定処理機能Ｓ９１２）と
を備え、
前記示唆演出手段は、前記当選役と、前記選択手段の選択した役を前記示唆演出にて示唆することを特徴とする遊技機。
【００３１】
手段９によれば、各有効絵柄により成立し得る絵柄の組合せと対応する役から１つの役が選択され、当選役と選択された役とが示唆演出にて示唆される。有効位置が複数設定される場合、形成され得る絵柄の組合せも複数存在する可能性がある。故に、各有効絵柄のいずれかを含む絵柄の組合せと対応する役から１つの役を選択して示唆することにより、遊技者を混乱させることなく当選役を示唆することが可能となる。仮に当選役に加えて、有効絵柄を含む絵柄の組合せと対応する役を複数示唆する構成とした場合、当選役を推測することが困難なものとなり得るからである。
【００３２】
手段１０．上記手段１乃至手段８のいずれかにおいて、遊技媒体（メダル、仮想メダル）を受け入れる受入手段（主制御装置１３１の投入メダル検出センサ７５ａ及びクレジット投入検出センサ７７ａ〜７９ａ確認処理機能Ｓ２０７）と、
前記受入手段からの遊技媒体受入を検出し、予め定められた規定数（３枚）を上限として遊技の賭数を設定する賭数設定手段（主制御装置１３１のタイマ割込み処理機能）と、
該賭数設定手段の設定した賭数に応じて前記有効位置を設定すると共に、前記賭数設定手段が前記賭数を複数設定した場合に前記有効位置を複数設定する有効位置設定手段（主制御装置１３１のタイマ割込み処理機能）と、
該有効位置設定手段が前記有効位置を複数設定した場合、前記有効絵柄把握手段の把握した各有効絵柄のいずれかを含む絵柄の組合せと対応する役から１つの役を選択する選択手段（主制御装置１３１のナビ図柄設定処理機能Ｓ９１２）と
を備え、
前記示唆演出手段は、前記当選役と、前記選択手段の選択した役を前記示唆演出にて示唆することを特徴とする遊技機。
【００３３】
手段１０によれば、有効位置が複数設定された場合、各有効絵柄により成立し得る絵柄の組合せと対応する役から１つの役が選択され、当選役と選択された役とが示唆演出にて示唆される。有効位置が複数設定された場合、形成され得る絵柄の組合せも複数存在する可能性がある。故に、各有効絵柄のいずれかを含む絵柄の組合せと対応する役から１つの役を選択して示唆することにより、遊技者を混乱させることなく当選役を示唆することが可能となる。仮に当選役に加えて、有効絵柄を含む絵柄の組合せと対応する役を複数示唆する構成とした場合、当選役を推測することが困難なものとなり得るからである。
【００３４】
手段１１．上記手段９又は手段１０において、示唆演出にて示唆する役の選択率を予め記憶する選択率記憶手段（主制御装置１３１）を備え、前記選択手段は、前記選択率記憶手段の記憶する選択率に基づいて、前記有効絵柄把握手段の把握した各有効絵柄のいずれかを含む絵柄の組合せと対応する役から１つの役を選択することを特徴とする遊技機。
【００３５】
手段１１によれば、示唆演出にて示唆される役の選択率は予め記憶されており、当該選択率に基づいて当選役以外に示唆される役の選択が行われる。かかる場合、遊技機の設計者が示唆させたいと考える役の選択率を他の役の選択率と比して高く設定すれば、示唆させたいと考える役が示唆演出にて示唆される機会を高めると共に、そうでない役についても所定確率で示唆される機会を設けることが可能となり、設計者の意図する通りの示唆演出を行わせることが可能となる。
【００３６】
手段１２．上記手段１１において、前記選択率記憶手段は、前記役の抽選に当選する確率の低い役ほど前記選択率が高くなるように設定された選択率を予め記憶することを特徴とする遊技機。
【００３７】
手段１２によれば、示唆演出にて選択される役の選択率は、役の抽選に当選する確率の低い役ほど選択率が高くなるように設定されている。かかる構成とすることにより、役の抽選に当選する確率の低い役が示唆演出にて示唆される機会を高めることが可能となり、当選役に対する期待感を好適に高めることが可能となる。例えば当選役が役の抽選に当選する確率の低い役であった場合、役の抽選に当選する確率の低い役が示唆演出にて複数示唆される機会を高めることが可能となるからである。
【００３８】
手段１３．上記手段１１又は手段１２において、前記選択率記憶手段は、前記当選役の選択率が他の役の選択率と比して低くなるように設定された選択率を予め記憶することを特徴とする遊技機。
【００３９】
手段１３によれば、当選役の選択率が他の役の選択率と比して低くなるように設定されている。かかる構成とすることにより、複数の役が示唆演出にて示唆される機会を高めることが可能となり、いずれの役に当選しているのかという期待感を高めることが可能となる。
【００４０】
手段１４．上記手段９又は手段１０において、示唆演出にて示唆する役の選択順序を予め記憶する選択順序記憶手段（主制御装置１３１）を備え、前記選択手段は、前記選択順序記憶手段の記憶する選択順序に基づいて、前記有効絵柄把握手段の把握した各有効絵柄のいずれかを含む絵柄の組合せと対応する役から１つの役を選択することを特徴とする遊技機。
【００４１】
手段１４によれば、示唆演出にて示唆される役の選択順序は予め記憶されており、当該順序に基づいて当選役以外に示唆される役の選択が行われる。かかる構成とすることにより、遊技機の設計者が示唆させたいと考える役を可能な限り示唆させることが可能となり、設計者の意図する通りの示唆演出を行わせることが可能となる。
【００４２】
手段１５．上記手段１４において、前記選択順序記憶手段は、前記当選役以外の役を選択する場合に、前記特定絵柄を含まない絵柄の組合せと対応する役と比して前記特定絵柄を含む絵柄の組合せと対応する役を優先して選択するように設定された選択順序を予め記憶することを特徴とする遊技機。
【００４３】
手段１５によれば、示唆演出にて選択される役の選択順序は、当選役以外の役を選択する場合に、特定絵柄を含まない絵柄の組合せと対応する役と比して特定絵柄を含む絵柄の組合せと対応する役を優先して選択するように設定されている。かかる構成とすることにより、遊技者に停止操作手段を所定のタイミングで操作するよう促すことが可能となり、遊技への積極参加を好適に促すことが可能となる。
【００４４】
手段１６．上記手段１４又は手段１５において、前記選択順序記憶手段は、前記当選役を最後に選択するように設定された選択順序を予め記憶することを特徴とする遊技機。
【００４５】
手段１６によれば、当選役は最後に選択されるように設定されている。かかる構成とすることにより、複数の役が示唆演出にて示唆される機会を高めることが可能となり、いずれの役に当選しているのかという期待感を高めることが可能となる。
【００４６】
手段１７．上記手段９又は手段１０において、前記選択手段は、前記各有効絵柄のいずれかを含むと共に前記所定絵柄により形成される組合せと対応する役を選択することを特徴とする遊技機。
【００４７】
手段１７によれば、示唆演出では、当選役と、各有効絵柄のいずれかを含むと共に所定絵柄により形成される組合せと対応する役とが示唆される。かかる場合、示唆演出にて示唆された役のうち少なくとも一方の役は、停止操作手段の操作タイミングに関わらず、対応する絵柄の組合せが有効位置に形成される役である。したがって、循環表示手段の循環表示がすべて停止した際に有効絵柄を含む絵柄の組合せが形成されなかった場合に、示唆された他方の役に当選していたことを遊技者に比較的容易に推測させることが可能となり、遊技者を混乱させることなく当選役を示唆することが可能となる。
【００４８】
手段１８．上記手段１乃至手段１７のいずれかにおいて、前記各停止操作手段が操作されたか否かを確認する停止操作確認手段（主制御装置１３１のストップ検出センサ７２ａ〜７４ａ確認処理機能Ｓ２０７）と、
該停止操作確認手段が前記各停止操作手段のいずれかが操作されたことを確認した場合、対応する循環表示手段が所定位置（下ライン）に表示している絵柄を把握する表示絵柄把握手段（主制御装置１３１の到達図柄確認処理機能Ｓ９０５）と、
該表示絵柄把握手段の把握結果に基づいて、対応する循環表示手段の前記所定位置に停止させる絵柄を決定する停止絵柄決定手段（主制御装置１３１のスベリ数算出処理機能Ｓ９０６及び停止図柄決定処理機能Ｓ９０７）と
を備え、
前記停止制御手段は、前記停止絵柄決定手段の決定結果に基づいて循環表示が停止するよう対応する循環表示手段を停止制御することを特徴とする遊技機。
【００４９】
手段１８によれば、停止操作手段のいずれかが操作された場合、対応する循環表示手段が所定位置に表示している絵柄が把握され、その把握結果に基づいて、対応する循環表示手段の所定位置に停止させる絵柄が決定される。かかる構成とすることにより、停止絵柄決定手段の決定結果に基づいて有効絵柄を把握する構成とすれば、比較的速やかに示唆演出にて示唆する役を決定することが可能となり、循環表示手段の循環表示の停止後に有効絵柄を把握する構成とすれば、有効位置に停止した有効絵柄を確実に把握した上で示唆演出を行うことが可能となる。
【００５０】
手段１９．上記手段１８において、前記有効絵柄把握手段は、前記停止絵柄決定手段が前記所定位置に停止させる絵柄を決定した場合、当該決定結果に基づいて前記有効絵柄を把握することを特徴とする遊技機。
【００５１】
手段１９によれば、停止操作手段の操作に基づいて所定位置に停止させる絵柄が決定された場合に有効絵柄の把握が行われる。かかる構成とすることにより、循環表示手段の循環表示が停止する前までに有効絵柄を把握することが可能となる。故に、比較的速やかに示唆演出にて示唆する役を決定することが可能となり、示唆演出を円滑に行うことが可能となる。なお、絵柄を循環表示させる構成の場合、仮に所定位置と有効位置が一致しない場合であっても、所定位置に停止する絵柄から有効位置に停止する絵柄を導出することが可能である。
【００５２】
手段２０．上記手段１乃至手段１９のいずれかにおいて、前記有効絵柄把握手段は、前記循環表示手段の循環表示の停止後に前記有効絵柄を把握することを特徴とする遊技機。
【００５３】
手段２０によれば、循環表示手段の循環表示の停止後に有効絵柄の把握が行われる。かかる構成とすることにより、有効位置に停止した有効絵柄を確実に把握した上で示唆演出を行うことが可能となり、役を示唆した場合に、示唆された役と対応する絵柄の組合せを形成する有効絵柄が停止していない不具合を抑制することが可能となる。
【００５４】
手段２１．上記手段１乃至手段２０のいずれかにおいて、前記循環表示手段は、周方向に複数種の絵柄が配列された周回体（リール４２Ｌ，４２Ｍ，４２Ｒ）と、該周回体を前記周方向に周回させる駆動手段（ステッピングモータ６１Ｌ，６１Ｍ，６１Ｒ）とを備えることを特徴とする遊技機。
【００５５】
手段２１によれば、周回体が周回することによって、その周方向に付された絵柄が循環表示される。このような遊技機として、例えばスロットマシンやスロットマシンとパチンコ機が融合したものがあり、上記の各手段は、これら遊技機に好適に具体化することができる。
【００５６】
手段２２．上記手段２１において、前記停止制御手段は、前記周回体の周回を停止させる停止態様として、前記停止操作手段の操作タイミングで前記有効位置に到達している到達絵柄を当該有効位置に停止させる停止態様と、前記到達絵柄を前記周回体の周回する側に予め定めた絵柄数（１〜４図柄）分だけ移動させた後に停止させる停止態様のうち、複数の停止態様を有し、
前記各周回体の絵柄配列を、前記所定絵柄と前記特定絵柄とを含む構成とすると共に、
前記有効位置に先に到達する所定絵柄と、前記有効位置に次に到達する同種の第１所定絵柄との間隔が前記規定期間に前記到達絵柄の移動できる最大絵柄数（４図柄）以下となるように、前記第１所定絵柄を配置し、
前記有効位置に先に到達する特定絵柄と、前記有効位置に次に到達する同種又は同一の特定絵柄との間隔が前記最大絵柄数より大きな非配置区間が形成されるように、前記特定絵柄を配置したことを特徴とする遊技機。
【００５７】
手段２２によれば、周回体には、有効位置に先に到達する特定絵柄と、有効位置に次に到達する同種又は同一の特定絵柄との間隔が規定期間に到達絵柄の移動できる最大絵柄数より大きな非配置区間が形成されるように、特定絵柄が配置されている。かかる場合、特定絵柄を有効位置に停止させるためには、特定絵柄より最大絵柄数分だけ周回体の周回する上流側に付された絵柄が有効位置に到達してから、特定絵柄が有効位置に到達するまでの間に停止操作手段を操作する必要がある。つまり、かかる構成とすることにより、特定絵柄を有効位置に停止させることが可能な操作タイミングを限定することが可能となる。また、各周回体には、有効位置に先に到達する所定絵柄と、有効位置に次に到達する同種の所定絵柄との間隔が最大絵柄数以下となるように、所定絵柄が配置されている。かかる場合、所定絵柄により形成される組合せと対応する役に当選した場合には、各停止操作手段の操作タイミングに関わらず、当選役と対応する絵柄の組合せを有効位置に形成させることが可能となる。
【００５８】
なお、以上の各手段を適用し得る遊技機として、「複数の絵柄からなる絵柄列（具体的には図柄が付されたリール）を変動表示（具体的にはリールの回動）した後に絵柄列を確定停止表示する可変表示手段（具体的にはリールユニット）を備え、始動用操作手段（具体的にはスタートレバー）の操作に起因して絵柄の変動が開始され、停止用操作手段（具体的にはストップボタン）の操作に起因して又は所定時間経過することにより絵柄の変動が停止され、その停止時の確定絵柄が特定絵柄であることを必要条件として遊技者に有利な特別遊技状態（ボーナスゲーム等）の発生等の特典を付与するようにし、さらに、球受皿（上皿等）を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。」といったスロットマシンとパチンコ機とが融合したタイプの遊技機なども挙げられる。
【００５９】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００６０】
図１〜図５に示すように、スロットマシン１０は、その外殻を形成する筐体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筐体１１は、遊技ホールへの設置の際にいわゆる島設備に対し釘を打ち付ける等して取り付けられる。
【００６１】
筐体１１の前面側には、前面開閉扉としての前面扉１２が開閉可能に取り付けられている。すなわち、筐体１１の左側板１１ｄには、上下一対の支軸２５ａ，２５ｂが設けられている。支軸２５ａ，２５ｂは上方に向けて突出された先細り形状の軸部を備えている。一方、前面扉１２には、各支軸２５ａ，２５ｂに対応して当該支軸２５ａ，２５ｂの軸部が挿入される挿入孔を備えた支持金具２６ａ，２６ｂが設けられている。そして、各支軸２５ａ，２５ｂの上方に支持金具２６ａ，２６ｂを配置させた上で前面扉１２を降下させることにより、支持金具２６ａ，２６ｂの挿入孔に支軸２５ａ，２５ｂの軸部が挿入された状態とされる。これにより、前面扉１２は筐体１１に対して両支軸２５ａ，２５ｂを結ぶ上下方向へ延びる開閉軸線を中心として回動可能に支持され、その回動によって筐体１１の前面開放側を開放したり閉鎖することができるように構成されている。
【００６２】
前面扉１２は、その裏面に設けられた施錠装置によって開放不能な施錠状態とされる。また、前面扉１２の右端側上部には解錠操作部たるキーシリンダ２０が設けられている。キーシリンダ２０は施錠装置と一体化されており、キーシリンダ２０に対する所定のキー操作によって前記施錠状態が解除されるように構成されている。そこで、施錠装置を含むロック機構について概略を説明する。
【００６３】
前面扉１２の右端側、すなわち前面扉１２の開閉軸の反対側には、その裏面に施錠装置が設けられている。施錠装置は、上下方向に延び前面扉１２に固定された基枠と、基枠の上部から前面扉１２の前方に延びるように設けられたキーシリンダ２０と、基枠に対して上下方向に移動可能に組み付けられた長尺状の連動杆２１とを備えている。そして、施錠装置のうちキーシリンダ２０だけが前面扉１２の前方に突出した状態で設けられている。キーシリンダ２０が設けられる位置は前面扉１２の中でも肉厚の薄い上部位置とされており、その結果、全長の短い汎用性のあるキーシリンダ２０を採用することができる。なお、本実施の形態では、キーシリンダ２０として、不正解錠防止機能の高いオムロック（商標名）が用いられている。連動杆２１は、キーシリンダ２０に差し込んだキーを時計回りに操作することで下方へ移動される。連動杆２１には、鉤形状をなす上下一対の鉤金具２２が設けられており、筐体１１に対して前面扉１２を閉鎖した際には、鉤金具２２が筐体１１側の支持金具２３に係止されて施錠状態となる。なお、鉤金具２２には施錠状態を維持する側へ付勢するコイルバネ等の付勢部材が設けられている。キーシリンダ２０に対してキーが時計回りに操作されると、連動杆２１が下方に移動し、前記付勢部材の付勢力に抗して鉤金具２２が移動されることにより当該鉤金具２２と支持金具２３との係止状態が解除され、筐体１１に対する前面扉１２の施錠状態が解除される。
【００６４】
前面扉１２の中央部上寄りには、遊技者に遊技状態を報知する遊技パネル３０が設けられている。遊技パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。
【００６５】
図３に示すように、筐体１１は仕切り板４０によりその内部が上下２分割されており、仕切り板４０の上部には、可変表示手段を構成するリールユニット４１が取り付けられている。リールユニット４１は、円筒状（円環状）にそれぞれ形成された左リール４２Ｌ，中リール４２Ｍ，右リール４２Ｒを備えている。なお、各リール４２Ｌ，４２Ｍ，４２Ｒは少なくとも無端状ベルトとして構成されていればよく、円筒状（円環状）に限定されるものではない。各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。また、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映し出される。
【００６６】
これら各リール４２Ｌ，４２Ｍ，４２Ｒは、それぞれがステッピングモータ６１Ｌ，６１Ｍ，６１Ｒに連結されており、各ステッピングモータ６１Ｌ，６１Ｍ，６１Ｒの駆動により各リール４２Ｌ，４２Ｍ，４２Ｒが個別に、即ちそれぞれ独立して回転駆動し得る構成となっている。これら各リール４２Ｌ，４２Ｍ，４２Ｒは同様の構成をしているため、ここでは左リール４２Ｌを例に挙げて図６に基づいて説明する。なお、図６は左リール４２Ｌの組立斜視図である。
【００６７】
左リール４２Ｌは、円筒状のかごを形成する円筒骨格部材５０と、その外周面において無端状に巻かれた帯状のベルトとを備えている。そして、その巻かれた状態を維持するように、ベルトの長辺両側に沿って形成された一対のシール部を介して円筒骨格部材５０に貼付されている。前記ベルトの外周面には、識別情報としての図柄が等間隔ごとに多数印刷されている。円筒骨格部材５０の中心部にはボス部５１形成されており、円盤状のボス補強板５２を介して左リール用ステッピングモータ６１Ｌの駆動軸に取り付けられている。従って、左リール用ステッピングモータ６１Ｌの駆動軸が回転することによりその駆動軸を中心として円筒骨格部材５０が自転するように回転され、左リール４２Ｌが円環状のリール面に沿って周回するようになっている。
【００６８】
左リール用ステッピングモータ６１Ｌは、リールユニット４１（図３）内において起立状態に配置されたモータプレート５３の側面にねじ５４で固定されている。モータプレート５３には、発光素子５５ａと受光素子５５ｂとが所定間隔をおいて保持されたリールインデックスセンサ（回転位置検出センサ）５５が設置されている。一方、左リール４２Ｌと一体化されたボス補強板５２には、半径方向に延びるセンサカットバン５６の基端部５６ｂがねじ５７で固定されている。このセンサカットバン５６の先端部５６ａは、略直角に屈曲されてリールインデックスセンサ５５の両素子５５ａ，５５ｂの間を通過できるように位置合わせがなされている。そして、左リール４２Ｌが１回転するごとにセンサカットバン５６の先端部５６ａの通過をリールインデックスセンサ５５が検出し、その検出の都度、後述する主制御装置１３１に検出信号が出力される。従って、主制御装置１３１はこの検出信号に基づいて左リール４２Ｌの角度位置を１回転ごとに確認し補正できる。
【００６９】
ステッピングモータ６１Ｌは例えば５０４パルスの駆動信号（励磁信号あるいは励磁パルスとも言う。以下同じ）を与えることにより１回転されるように設定されており、この励磁パルスによってステッピングモータ６１Ｌの回転位置、すなわち左リール４２Ｌの回転位置が制御される。
【００７０】
各リール４２Ｌ，４２Ｍ，４２Ｒの各ベルト上には、その長辺方向（周回方向）に複数個、具体的には２１個の図柄が描かれている。従って、所定の位置においてある図柄から次の図柄へ切り替えるには２４パルス（＝５０４パルス÷２１図柄）を要する。そして、リールインデックスセンサ５５の検出信号が出力された時点からのパルス数により、どの図柄が表示窓３１Ｌ，３１Ｍ，３１Ｒから視認可能な状態となっているかを認識したり、任意の図柄を表示窓３１Ｌ，３１Ｍ，３１Ｒから視認可能な状態としたりする制御を行うことができる。
【００７１】
各リール４２Ｌ，４２Ｍ，４２Ｒに付された図柄のうち、表示窓３１Ｌ，３１Ｍ，３１Ｒを介して全体を視認可能な図柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の図柄が遊技者に視認可能な状態となる。
【００７２】
ここで、各リール４２Ｌ，４２Ｍ，４２Ｒに付される図柄について説明する。図７には、左リール４２Ｌ，中リール４２Ｍ，右リール４２Ｒのそれぞれに巻かれるベルトに描かれた図柄配列が示されている。同図に示すように、各リール４２Ｌ，４２Ｍ，４２Ｒにはそれぞれ２１個の図柄が一列に設けられている。また、各リール４２Ｌ，４２Ｍ，４２Ｒに対応して番号が０〜２０まで付されているが、これら番号は主制御装置１３１が表示窓から視認可能な状態となっている図柄を認識するための番号であり、リール４２Ｌ，４２Ｍ，４２Ｒに実際に付されているわけではない。但し、以下の説明では当該番号を使用して説明する。
【００７３】
図柄としては、「リプレイ」図柄（例えば、左ベルト２０番目）、「ベル」図柄（例えば、左ベルト１９番目）、「青年」図柄（例えば、左ベルト１８番目）、「７」図柄（例えば、左ベルト１７番目）、「チェリー」図柄（例えば、左ベルト１３番目）、「チャンス」図柄（例えば、左ベルト１２番目）、「スイカ」図柄（例えば、左ベルト９番目）、「リーチ」図柄（例えば、左ベルト６番目）、「ラッキー」図柄（例えば、左ベルト１番目）の９種類がある。そして、図７に示すように、各リール４２Ｌ，４２Ｍ，４２Ｒに巻かれるベルトにおいて、各種図柄の数や配置順序は全く異なっている。
【００７４】
なお、リールユニット４１の各リール４２Ｌ，４２Ｍ，４２Ｒは識別情報を可変表示する可変表示手段の一例であり、主表示部を構成する。但し、可変表示手段は、図柄を周方向に可変表示する構成であれば、これ以外の構成であってもよい。例えば、ベルトを自転させるのではなく周回させるタイプ等の他の機械的なリール構成としてもよく、また、機械的なリール構成に加えて、液晶表示器、ドットマトリックス表示器等の電気的表示により識別情報を可変表示させるものを設けてもよく、この場合は表示形態に豊富なバリエーションをもたせることが可能となる。
【００７５】
遊技パネル３０には、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に図柄が所定の組合せで停止した場合に入賞となり、予め定められたメダル数の払出処理や、特別遊技状態たるＢＢゲーム等のボーナスゲームへの移行処理などが実行される。
【００７６】
図８には、入賞となる図柄の組合せと、入賞となった場合に払い出されるメダル払出枚数とが示されている。
【００７７】
メダル払出が行われる小役入賞としては、スイカ入賞と、ベル入賞と、チェリー入賞とがある。有効ライン上に左から「スイカ」図柄、「スイカ」図柄、「スイカ」図柄と並んで停止した場合、スイカ入賞として１５枚のメダル払出、有効ライン上に左から「ベル」図柄、「ベル」図柄、「ベル」図柄と並んで停止した場合、ベル入賞として１１枚のメダル払出が行われる。また、左リール４２Ｌの「チェリー」図柄が有効ライン上に停止した場合、チェリー入賞として２枚のメダル払出が行われる。即ち、チェリー入賞の場合には、中リール４２Ｍ及び右リール４２Ｒの有効ライン上に停止する図柄はどのような図柄であってもよい。故に、左リール４２Ｌの複数の有効ラインが重なる位置（具体的には上段又は下段）に「チェリー」図柄が停止した場合には、各有効ライン上にてチェリー入賞が成立し、その重なった有効ラインの数を乗算した分だけのメダル払出が行われる。結果として、本実施形態では４枚のメダル払出が行われる。
【００７８】
また、遊技状態が移行する状態移行入賞としてＢＢ入賞がある。有効ライン上に左から「７」図柄、「７」図柄、「７」図柄と並んで停止した場合、ＢＢ入賞として遊技状態が特別遊技状態たるＢＢゲームに移行する。但し、「７」図柄が有効ライン上に左・中・右と並んで停止したとしても、メダル払出は行われない。すなわち、「７」図柄の組合せが有効ライン上に成立した際には、ＢＢゲームに移行するのみである。換言すれば、「７」図柄は、遊技状態をＢＢゲームに移行させるための状態移行図柄であるといえる。
【００７９】
更に、有効ライン上に左から「リプレイ」図柄、「リプレイ」図柄、「リプレイ」図柄と並んで停止した場合には、再遊技入賞となる。再遊技入賞が成立すると、メダル払出や状態移行は行われないものの、遊技者は所有するメダルを減らすことなく且つメダルを投入することなく次ゲームの遊技を行うことが可能となる。
【００８０】
加えて、遊技状態が後述するＲＢゲームである場合に限り、有効ライン上に左から「リプレイ」図柄、「リプレイ」図柄、「チャンス」図柄と並んで停止した場合と、有効ライン上に左から「リプレイ」図柄、「リプレイ」図柄、「ラッキー」図柄と並んで停止した場合に、ＪＡＣ入賞として１５枚のメダル払出が行われる。
【００８１】
その他の場合、即ち有効ライン上に左リール４２Ｌの「チェリー」図柄が停止せず、また有効ライン上に上記した図柄の組合せが停止しなかった場合には、メダル払出や遊技状態の移行等は一切行われない。すなわち、左リール４２Ｌの「チャンス」図柄及び「ラッキー」図柄、中リール４２Ｍと右リール４２Ｒの「チェリー」図柄、各リール４２Ｌ，４２Ｍ，４２Ｒの「青年」図柄及び「リーチ」図柄は、入賞と一切関与していない。換言すれば、上記各図柄は、遊技者に付与される特典と無関係な無特典図柄であると言える。このように、各リール４２Ｌ，４２Ｍ，４２Ｒには、例えば「ベル」図柄等の入賞と関係する特典図柄と、例えば「青年」図柄等の入賞と無関係な無特典図柄がそれぞれ付されている。なお、以下では、各入賞と対応する図柄の組合せを入賞図柄の組合せともいう。例えば、ＢＢ図柄の組合せとは、ＢＢ入賞となる図柄の組合せ、すなわち「７」図柄、「７」図柄、「７」図柄の組合せである。
【００８２】
遊技パネル３０の下方左側には、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち可変表示を開始させるべく操作される開始操作手段又は始動操作手段を構成する。スタートレバー７１は、遊技者がゲームを開始するときに手で押し操作するレバーであり、手が離れたあと元の位置に自動復帰する。メダルが投入されているときにこのスタートレバー５２が操作されると、各リール４２Ｌ，４２Ｍ，４２Ｒが一斉に回転を始める。
【００８３】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの直下にそれぞれ配置されている。すなわち、左ストップスイッチ７２が操作された場合には左リール４２Ｌの回転が停止し、中ストップスイッチ７３が操作された場合には中リール４２Ｍの回転が停止し、右ストップスイッチ７４が操作された場合には右リール４２Ｒの回転が停止する。ストップスイッチ７２，７３，７４はリール４２Ｌ，４２Ｍ，４２Ｒの回転に基づく可変表示を停止させるべく操作される停止操作手段を構成する。各ストップスイッチ７２，７３，７４は、左リール４２Ｌが回転を開始してから所定時間が経過すると停止させることが可能な状態となり、かかる状態中には図示しないランプが点灯表示されることによって停止操作が可能であることが報知され、回転が停止すると消灯されるようになっている。
【００８４】
表示窓３１Ｌ，３１Ｍ，３１Ｒの下方右側には、投資価値としてのメダルを投入するためのメダル投入口７５が設けられている。メダル投入口７５は投資価値を入力する入力手段を構成する。また、メダル投入口７５が遊技者によりメダルを直接投入するという動作を伴う点に着目すれば、投資価値を直接入力する直接入力手段を構成するものともいえる。
【００８５】
メダル投入口７５から投入されたメダルは、前面扉１２の背面に設けられた通路切替手段としてのセレクタ８４によって貯留用通路８１か排出用通路８２のいずれかへ導かれる。すなわち、セレクタ８４にはメダル通路切替ソレノイド８３が設けられ、そのメダル通路切替ソレノイド８３の非励磁時には排出用通路８２側とされ、励磁時には貯留用通路８１側に切り替えられるようになっている。貯留用通路８１に導かれたメダルは、筐体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返還される。
【００８６】
メダルを遊技者に付与する払出手段としてのホッパ装置９１は、メダルを貯留する貯留タンク９２と、メダルを遊技者に払い出す払出装置９３とより構成されている。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００８７】
メダル投入口７５の下方には、ボタン状の返却スイッチ７６が設けられている。返却スイッチ７６は、メダル投入口７５に投入されたメダルがセレクタ８４内に詰まった際に押されるスイッチであり、このスイッチが押されることによりセレクタ８４が機械的に連動して動作され、当該セレクタ８４内に詰まったメダルがメダル排出口１７より返却されるようになっている。
【００８８】
表示窓３１Ｌ，３１Ｍ，３１Ｒの下方左側には、投資価値としてのクレジットされた仮想メダルを一度に３枚投入するためのボタン状の第１クレジット投入スイッチ７７が設けられている。また、第１クレジット投入スイッチ７７の左方には当該スイッチ７７よりも小さなボタン状のスイッチとして、第２クレジット投入スイッチ７８及び第３クレジット投入スイッチ７９が設けられている。第２クレジット投入スイッチ７８はクレジットされた仮想メダルを一度に２枚投入するためのものであり、第３クレジット投入スイッチ７９は仮想メダルを１枚投入するためのものである。各クレジット投入スイッチ７７〜７９は前記メダル投入口７５とともに投資価値を入力する入力手段を構成する。また、メダル投入口７５が遊技者によりメダルを直接投入するという動作を伴うのに対し各クレジット投入スイッチ７７〜７９は貯留記憶に基づく仮想メダルの投入という動作を伴うに過ぎない点に着目すれば、投資価値を間接入力する間接入力手段を構成するものともいえる。
【００８９】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００９０】
スタートレバー７１の左側には、ボタン状の精算スイッチ８０が設けられている。すなわち、本スロットマシン１０では、所定の最大値（メダル５０枚分）となるまでの余剰の投入メダルや入賞時の獲得メダルを仮想メダルとして貯留記憶するクレジット機能を有しており、仮想メダルが貯留記憶されている状態で精算スイッチ８０が押下操作されることで、仮想メダルが現実のメダルとして払い出される。この場合、クレジットされた仮想メダルを現実のメダルとして払い出すという機能に着目すれば、精算スイッチ８０は貯留記憶された遊技価値を実際に払い出すための精算操作手段を構成するものともいえる。
【００９１】
なお、所定の最大値（例えばメダル５０枚分）となるまでの余剰の投入メダルや入賞時の獲得メダルを仮想メダルとして貯留記憶するように設定された「クレジットモード」と、余剰の投入メダルや入賞時の獲得メダルを現実のメダルとして払い出すように設定された「ダイレクトモード」とを切換可能としたスロットマシンの場合には、前記精算スイッチ８０に、モード切換のための切換スイッチとしての機能を付加してもよい。この場合、精算スイッチ（切換スイッチ）８０は、１度押されるとオン状態になり、もう１度押されるとオフ状態になり、その後押下操作が行われるごとにオンオフが切り替わるように構成される。そして、精算スイッチ８０がオン状態のときにはクレジットモードとされ、精算スイッチ８０がオフ状態のときにはダイレクトモードとされる。クレジットモードからダイレクトモードに切り換えられた際に仮想メダルがある場合には、その分の仮想メダルが現実のメダルとして払い出される。これにより、遊技者はクレジットモードとダイレクトモードとを切り換えることで自身の好みに応じた形式で遊技を実行することができる。かかる精算スイッチ８０は投入価値及び遊技価値の取扱形式を切り換える切換操作手段を構成する。
【００９２】
遊技パネル３０の表示窓３１Ｌ，３１Ｍ，３１Ｒ下方には、貯留記憶された仮想メダル数を表示するクレジット表示部３５と、ＢＢゲームが終了するまでに獲得できる残りのメダル数を表示する残獲得枚数表示部３６と、入賞時に獲得したメダルの枚数を表示する獲得枚数表示部３７とがそれぞれ設けられている。これら表示部３５〜３７は７セグメント表示器によって構成されているが、液晶表示器等によって代替することは当然可能である。
【００９３】
ここで、メダルがベットされる手順について説明する。遊技の開始時にメダル投入口７５からメダルが投入されるとベットとなる。
【００９４】
すなわち、１枚目のメダルがメダル投入口７５に投入されると、第１有効ライン表示部３２が点灯し、そしてこれに対応する中ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００９５】
また、４枚以上のメダルがメダル投入口７５に投入されると、３枚を超える余剰メダルは、そのときに貯留記憶されている仮想メダルが５０枚未満であれば、スロットマシン内部に貯蓄されると共にクレジット表示部３５の仮想メダル数が加算表示される。一方、仮想メダル数が５０枚のとき又は５０枚に達したときには、セレクタ８４により貯留用通路８１から排出用通路８２への切替がなされ、メダル排出口１７からメダル受け皿１８へと余剰メダルが返却される。
【００９６】
また、クレジット表示部３５に貯留枚数が表示されている場合には、第１〜第３クレジット投入スイッチ７７〜７９のいずれかが押された際にも仮想メダルが投入されたこととなりベットとなる。
【００９７】
第３クレジット投入スイッチ７９が押された際には、仮想メダルが１枚投入されたこととしてクレジット表示部３５に表示されている数値が１つ減算され、第１有効ライン表示部３２が点灯して中ラインが有効ラインとなる。第２クレジット投入スイッチ７８が押された際には、仮想メダルが２枚投入されたこととしてクレジット表示部３５に表示されている数値が２つ減算され、第１有効ライン表示部３２および第２有効ライン表示部３３が点灯して合計３本の組合せラインが有効ラインとなる。第１クレジット投入スイッチ７７が押された際には、仮想メダルが３枚投入されたこととしてクレジット表示部３５に表示されている数値が３つ減算され、全ての有効ライン表示部３２〜３４が点灯して合計５本の組合せラインが有効ラインとなる。
【００９８】
なお、第１〜第３クレジット投入スイッチ７７〜７９のいずれかが押された際に投入されるべき仮想メダルが貯留されていない場合、例えばクレジット表示部３５の表示が２のときに第１クレジット投入スイッチ７７が押された場合等には、クレジット表示部３５の数値が全て減算されて０となり、投入可能な仮想メダル分だけベットされる。
【００９９】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４と、遊技者に各種情報を与える補助表示部１５とが設けられている。補助表示部１５は、本実施形態では表示内容の多様化及び表示演出の重厚化を意図して液晶表示器によって構成されているが、ドットマトリックス表示器等の他の表示器を使用してもよい。補助表示部１５は、遊技の進行に伴って各種表示演出を実行するためのものであり、各リール４２Ｌ，４２Ｍ，４２Ｒによる遊技を主表示部によるものと考えることができることから、本実施形態では補助表示部１５と称している。補助表示部１５の背面には上部ランプ１３やスピーカ１４、補助表示部１５を駆動させるための表示制御装置１１１が設けられている。なお、上部ランプ１３及びスピーカ１４の位置や数は特に以上説明したものに限られない。
【０１００】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。
【０１０１】
筐体１１の内部においてホッパ装置９１の左方には、電源ボックス１２１が設けられている。電源ボックス１２１は、電源スイッチ１２２やリセットスイッチ１２３や設定キー挿入孔１２４などを備えている。電源スイッチ１２２は、主制御装置１３１を始めとする各部に電源を供給するための起動スイッチである。リセットスイッチ１２３は、スロットマシン１０のエラー状態をリセットするためのスイッチである。また、設定キー挿入孔１２４は、ホール管理者などがメダルの出玉調整を行うためのものである。すなわち、ホール管理者等が設定キーを設定キー挿入孔１２４へ挿入してＯＮ操作することにより、スロットマシン１０の当選確率を設定できるようになっている。なお、リセットスイッチ１２３は、エラー状態をリセットする場合のほか、スロットマシン１０の当選確率を変更する場合にも操作される。
【０１０２】
リールユニット４１の上方には、主制御装置１３１が筐体１１の背板１１ｃに取り付けられている。主制御装置１３１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。基板ボックスは、略直方体形状のボックスベースと該ボックスベースの開口部を覆うボックスカバーとを備えている。これらボックスベースとボックスカバーとは封印手段としての封印ユニットによって開封不能に連結され、これにより基板ボックスが封印されている。なお、ボックスベースとボックスカバーとを鍵部材を用いて開封不能に連結する構成としてもよい。
【０１０３】
次に、本スロットマシン１０の電気的構成について、図９のブロック図に基づいて説明する。
【０１０４】
主制御装置１３１には、演算処理手段であるＣＰＵ１５１を中心とするマイクロコンピュータが搭載されている。ＣＰＵ１５１には、電源ボックス１２１の内部に設けられた電源装置１６１の他に、所定周波数の矩形波を出力するクロック回路１５４や、入出力ポート１５５などが内部バスを介して接続されている。かかる主制御装置１３１は、スロットマシン１０に内蔵されるメイン基盤としての機能を果たすものである。
【０１０５】
主制御装置１３１の入力側には、スタートレバー７１の操作を検出するスタート検出センサ７１ａ、各ストップスイッチ７２，７３，７４の操作を個別に検出するストップ検出センサ７２ａ，７３ａ，７４ａ、メダル投入口７５から投入されたメダルを検出する投入メダル検出センサ７５ａ、各クレジット投入スイッチ７７，７８，７９の操作を個別に検出するクレジット投入検出センサ７７ａ，７８ａ，７９ａ、精算スイッチ８０の操作を検出する精算検出センサ８０ａ、各リール４２の回転位置（原点位置）を個別に検出するリールインデックスセンサ５５、ホッパ装置９１から払い出されるメダルを検出する払出検出センサ９１ａ、リセットスイッチ１２３の操作を検出するリセット検出センサ１２３ａ、設定キー挿入孔１２４に設定キーが挿入されてＯＮ操作されたことを検出する設定キー検出センサ１２４ａ等の各種センサが接続されており、これら各種センサからの信号は入出力ポート１５５を介してＣＰＵ１５１へ出力されるようになっている。
【０１０６】
なお、投入メダル検出センサ７５ａは実際には複数個のセンサより構成されている。即ち、メダル投入口７５からホッパ装置９１に至る貯留用通路８１は、メダルが１列で通行可能なように構成されている。そして、貯留用通路８１には第１センサが設けられるとともに、それよりメダルの幅以上離れた下流側に第２センサ及び第３センサが近接（少なくとも一時期において同一メダルを同時に検出する状態が生じる程度の近接）して設けられており、これら第１乃至第３の各センサによって投入メダル検出センサ７５ａが構成されている。主制御装置１３１は、第１センサから第２センサに至る時間を監視し、その経過時間が所定時間を越えた場合にはメダル詰まり又は不正があったものとみなしてエラーとする。エラーになると、エラー報知が行われるとともにエラー解除されるまでの遊技者による操作が無効化される。また、主制御装置１３１は第２センサと第３センサとがオンオフされる順序をも監視し、第２，第３センサが共にオフ、第２センサのみオン、第２，第３センサが共にオン、第３センサのみオン、第２，第３センサが共にオフという順序通りになった場合で、かつ各オンオフ切換に移行する時間が所定時間内である場合にのみメダルが正常に取り込まれたと判断し、それ以外の場合はエラーとする。このようにするのは、貯留用通路８１でのメダル詰まりの他、メダルを投入メダル検出センサ７５ａ付近で往復動させてメダル投入と誤認させる不正を防止するためである。
【０１０７】
また、主制御装置１３１の入力側には、入出力ポート１５５を介して電源装置１６１に設けられた停電監視回路１６１ｂが接続されている。電源装置１６１には、主制御装置１３１を始めとしてスロットマシン１０の各電子機器に駆動電力を供給する電源部１６１ａや、上述した停電監視回路１６１ｂなどが搭載されている。
【０１０８】
停電監視回路１６１ｂは電源の遮断状態を監視し、停電時はもとより、電源スイッチ１２２による電源遮断時に停電信号を生成するためのものである。そのため停電監視回路１６１ｂは、電源部１６１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１５１と入出力ポート１５５のそれぞれに供給され、ＣＰＵ１５１ではこの停電信号を認識することにより後述する停電時処理が実行される。
【０１０９】
電源部１６１ａは、出力電圧が１０ボルト未満まで低下した場合でも、主制御装置１３１などの制御系における駆動電圧として使用される５ボルトの安定化電圧が出力されるように構成されている。この安定化電圧が出力される時間としては、主制御装置１３１による停電時処理を実行するに十分な時間が確保されている。
【０１１０】
主制御装置１３１の出力側には、各有効ライン表示部３２，３３，３４、クレジット表示部３５、残獲得枚数表示部３６、獲得枚数表示部３７、各リール４２Ｌ，４２Ｍ，４２Ｒを回転させるための各ステッピングモータ６１（６１Ｌ，６１Ｍ，６１Ｒ）、セレクタ８４に設けられたメダル通路切替ソレノイド８３、ホッパ装置９１、表示制御装置１１１、図示しないホール管理装置などに情報を送信できる外部集中端子板１７１等が入出力ポート１５５を介して接続されている。
【０１１１】
表示制御装置１１１は、上部ランプ１３やスピーカ１４、補助表示部１５を駆動させるための制御装置であり、これらを駆動させるためのＣＰＵ、ＲＯＭ、ＲＡＭ等が一体化された基板を備えている。そして、主制御装置１３１からの信号を受け取った上で、表示制御装置１１１が独自に上部ランプ１３、スピーカ１４及び補助表示部１５を駆動制御する。従って、表示制御装置１１１は、遊技を統括管理するメイン基盤たる主制御装置１３１との関係では補助的な制御を実行するサブ基盤となっている。即ち、間接的な遊技に関する音声やランプ、表示についてはサブ基盤を設けることにより、メイン基盤の負担軽減を図っている。なお、各種表示部３２〜３７を表示制御装置１１１が制御する構成としてもよい。
【０１１２】
上述したＣＰＵ１５１には、このＣＰＵ１５１によって実行される各種の制御プログラムや固定値データを記憶したＲＯＭ１５２と、このＲＯＭ１５２内に記憶されている制御プログラムを実行するに当たって各種のデータを一時的に記憶する作業エリアを確保するためのＲＡＭ１５３のほかに、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１５２とＲＡＭ１５３によって記憶手段としてのメインメモリが構成され、図１０以降のフローチャートに示される各種処理を実行するためのプログラムは、制御プログラムの一部として上述したＲＯＭ１５２に記憶されている。
【０１１３】
ＲＡＭ１５３は、スロットマシン１０の電源が遮断された後においても電源ボックス１２１内に設けられた電源装置１６１からバックアップ電圧が供給されてデータを保持（バックアップ）できる構成となっている。ＲＡＭ１５３には、各種のデータを一時的に記憶するためのメモリや、各リール４２Ｌ，４２Ｍ，４２Ｒを停止させる処理を行う際に使用するための当選番号格納エリア１５３ａ，スベリテーブル格納エリア１５３ｂ，変更図柄格納エリア１５３ｃ等の格納エリアの他に、バックアップエリアが設けられている。
【０１１４】
バックアップエリアは、停電などの発生により電源が遮断された場合において、電源遮断時（電源スイッチ１２２の操作による電源遮断をも含む。以下同様）のスタックポインタの値を記憶しておくためのエリアであり、停電解消時（電源スイッチ１２２の操作による電源投入をも含む。以下同様）には、バックアップエリアの情報に基づいてスロットマシン１０の状態が電源遮断前の状態に復帰できるようになっている。バックアップエリアへの書き込みは停電時処理（図１２参照）によって電源遮断時に実行され、バックアップエリアに書き込まれた各値の復帰は電源投入時のメイン処理（図１３参照）において実行される。なお、ＣＰＵ１５１のＮＭＩ端子（ノンマスカブル割込端子）には、停電等の発生による電源遮断時に、停電監視回路１６１ｂからの停電信号が入力されるように構成されており、停電等の発生に伴う停電フラグ生成処理としてのＮＭＩ割込み処理が即座に実行される。
【０１１５】
続いて、主制御装置１３１内のＣＰＵ１５１により実行される各制御処理を図１０〜図２７のフローチャートを参照しながら説明する。かかるＣＰＵ１５１の処理としては大別して、電源投入に伴い起動されるメイン処理と、定期的に（本実施の形態では１．４９ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０１１６】
図１０はＮＭＩ割込み処理の一例を示すフローチャートである。停電の発生などによって電源が遮断されると、電源装置１６１の停電監視回路１６１ｂでは停電信号が生成され、主制御装置１３１に対して出力される。ＮＭＩ端子を介して停電信号を受信した主制御装置１３１では、ＮＭＩ割込み処理が実行される。
【０１１７】
ＮＭＩ割込み処理では、まずステップＳ１０１において、ＣＰＵ１５１内に設けられた使用レジスタのデータをＲＡＭ１５３内に設けられたバックアップエリアに退避させる。続いて、ステップＳ１０２では、停電フラグをＲＡＭ１５３内に設けられた停電フラグ格納エリアにセットする。その後、ステップＳ１０３にてＲＡＭ１５３のバックアップエリアに退避させたデータを再びＣＰＵ１５１の使用レジスタに復帰させる。この復帰処理でＮＭＩ割込み処理が終了する。なお、ＣＰＵ１５１の使用レジスタのデータを破壊せずに停電フラグのセット処理が可能な場合には、バックアップエリアへの退避および復帰処理を省くことができる。
【０１１８】
図１１は、主制御装置１３１で定期的に実行されるタイマ割込み処理のフローチャートであり、主制御装置１３１のＣＰＵ１５１により例えば１．４９ｍｓｅｃごとにタイマ割込みが発生する。
【０１１９】
先ず、ステップＳ２０１に示すレジスタ退避処理では、後述する通常処理で使用しているＣＰＵ１５１内の全レジスタの値をＲＡＭ１５３のバックアップエリアに退避させる。ステップＳ２０２では停電フラグがセットされているか否かを確認し、停電フラグがセットされているときにはステップＳ２０３に進み、停電時処理を実行する。
【０１２０】
ここで、停電時処理について図１２を用いて説明する。この停電時処理は、タイマ割込み処理のうち特にレジスタ退避処理の直後に行われるため、その他の割込み処理を中断することなく実行できる。従って、例えば各種コマンドの送信処理中、スイッチの状態（オンオフ）の読み込み処理中などのように、それぞれの処理に割り込んでこの停電時処理が実行されることはなく、かかるタイミングで実行されることをも考慮した停電時処理のプログラムを作成する必要がなくなる。これにより停電時処理用の処理プログラムを簡略化してプログラム容量を削減できる。なお、このことは後述する復電時処理用の処理プログラムについても同様である。
【０１２１】
ステップＳ３０１では、コマンド送信が終了しているか否かを判定する。送信が終了していない場合には本処理を終了してタイマ割込み処理に復帰し、コマンド送信を終了させる。このように停電時処理の初期段階でコマンドの送信が完了しているか否かを判断し、送信が未完であるときには送信処理を優先し、単位コマンドの送信処理終了後に停電時処理を実行する構成とすることにより、コマンドの送信途中で停電時処理が実行されることをも考慮した停電時処理プログラムを構築する必要がなくなる。その結果停電時処理プログラムを簡略化してＲＯＭ１５２の小容量化を図ることができる実益を有する。
【０１２２】
ステップＳ３０１がＹＥＳ、すなわちコマンドの送信が完了している場合には、ステップＳ３０２に進み、ＣＰＵ１５１のスタックポインタの値をＲＡＭ１５３内のバックアップエリアに保存する。その後ステップＳ３０３では、停止処理として後述するＲＡＭ判定値をクリアすると共に入出力ポート１５５における出力ポートの出力状態をクリアし、図示しない全てのアクチュエータをオフ状態にする。ステップＳ３０４では、ＲＡＭ判定値を算出し、バックアップエリアに保存する。ＲＡＭ判定値とは、具体的にはＲＡＭ１５３の作業領域アドレスにおけるチェックサムの２の補数である。ＲＡＭ判定値をバックアップエリアに保存することにより、ＲＡＭ１５３のチェックサムは０となる。ＲＡＭ１５３のチェックサムを０とすることにより、ステップＳ３０５においてそれ以後のＲＡＭアクセスを禁止する。その後は、電源が完全に遮断して処理が実行できなくなるのに備え、無限ループに入る。なお、例えばノイズ等に起因して停電フラグが誤ってセットされる場合を考慮し、無限ループに入るまでは停電信号が出力されているか否かを確認する。停電信号が出力されていなければ停電状態から復旧したこととなるため、ＲＡＭ１５３への書き込みを許可すると共に停電フラグをリセットし、タイマ割込み処理に復帰する。停電信号の出力が継続してなされていれば、そのまま無限ループに入る。ちなみに、詳細な説明は省略するが、無限ループ下においても停電信号が出力されているか否かを確認しており、停電信号が出力されなくなった場合には後述するメイン処理に移行する。
【０１２３】
なお、電源装置１６１の電源部１６１ａは、上述したＮＭＩ割込み処理及び停電時処理を実行するのに十分な時間、制御系の駆動電圧として使用される安定化電圧（５ボルト）の出力が保持されるように構成されている。本実施形態では、３０ｍｓｅｃの間、駆動電圧が出力され続けるようになっている。
【０１２４】
タイマ割込み処理の説明に戻り、ステップＳ２０２にて停電フラグがセットされていない場合には、ステップＳ２０４以降の各種処理を行う。
【０１２５】
すなわち、ステップＳ２０４では、誤動作の発生を監視するためのウオッチドッグタイマの値を初期化するウオッチドッグタイマのクリア処理を行う。ステップＳ２０５では、ＣＰＵ１５１自身に対して次回のタイマ割込みを設定可能とする割込み終了宣言処理を行う。ステップＳ２０６では、各リール４２Ｌ，４２Ｍ，４２Ｒを回転させるために、それぞれの回胴駆動モータであるステッピングモータ６１Ｌ〜６１Ｒを駆動させるステッピングモータ制御処理を行う。ステップＳ２０７では、入出力ポート１５５に接続された各種センサ（図９参照）の状態を読み込むと共に、読み込み結果が正常か否かを監視するセンサ監視処理を行う。ステップＳ２０８では、各カウンタやタイマの値を減算するタイマ演算処理を行う。ステップＳ２０９では、メダルのベット数や、払い出し枚数をカウントした結果を外部集中端子板１７１へ出力するカウンタ処理を行う。
【０１２６】
ステップＳ２１０では、後述する開始コマンド等の各種コマンドを表示制御装置１１１へ送信するコマンド出力処理を行う。ステップＳ２１１では、クレジット表示部３５、残獲得枚数表示部３６及び獲得枚数表示部３７にそれぞれ表示されるセグメントデータを設定するセグメントデータ設定処理を行う。ステップＳ２１２では、セグメントデータ設定処理で設定されたセグメントデータを各表示部３５〜３７に供給して該当する数字、記号などを表示するセグメントデータ表示処理を行う。ステップＳ２１３では、入出力ポート１５５からＩ／Ｏ装置に対応するデータを出力するポート出力処理を行う。ステップＳ２１４では、先のステップＳ２０１にてバックアップエリアに退避させた各レジスタの値をそれぞれＣＰＵ１５１内の対応するレジスタに復帰させる。その後ステップＳ２１５にて次回のタイマ割込みを許可する割込み許可処理を行い、この一連のタイマ割込み処理を終了する。
【０１２７】
図１３は電源投入後に実行される主制御装置１３１でのメイン処理を示すフローチャートである。メイン処理は、停電からの復旧や電源スイッチ１２２のオン操作によって電源が投入された際に実行される。
【０１２８】
先ずステップＳ４０１では、初期化処理として、スタックポインタの値をＣＰＵ１５１内に設定すると共に、割込み処理を許可する割込みモードを設定し、その後ＣＰＵ１５１内のレジスタ群や、Ｉ／Ｏ装置等に対する各種の設定などを行う。
【０１２９】
これらの初期化処理が終了すると、ステップＳ４０２では設定キーが設定キー挿入孔１２４に挿入されてＯＮ操作されているか否か、より詳しくは設定キー検出センサ１２４ａからＯＮ信号を受信しているか否かを判定する。設定キーのＯＮ操作がなされている場合にはステップＳ４０３に進み、強制的ＲＡＭクリア処理としてＲＡＭ１５３に記憶されたデータを全てクリアする。続くステップＳ４０４では当選確率設定処理を行う。
【０１３０】
ここで、当選確率設定処理について図１４を用いて説明する。スロットマシン１０には、「設定１」から「設定６」まで６段階の当選確率が予め用意されており、当選確率設定処理とは、いずれの当選確率に基づいて内部処理を実行させるのかを設定するための処理である。
【０１３１】
ステップＳ５０１では設定キーが挿入されてＯＮ操作されているか否かを判定し、ＯＮ操作されていない場合にはそのまま本処理を終了する。ＯＮ操作されている場合には、ステップＳ５０２にて次回のタイマ割込みを許可する。その後、ステップＳ５０３にて現在の設定値を読み込むと共に、ステップＳ５０４では現在の設定値をクレジット表示部３５に表示する。但し、設定キーが挿入されてＯＮ操作された直後の処理では、先の強制的ＲＡＭクリア処理によりＲＡＭ１５３のデータがクリアされているため、クレジット表示部３５に表示される設定値は「１」である。
【０１３２】
ステップＳ５０５ではスタートレバー７１が操作されたか否かを判定し、操作されていない場合にはステップＳ５０６〜ステップＳ５０７に示す設定更新処理を行う。ステップＳ５０６では、リセットスイッチ１２３が操作されたか否かを判定する。リセットスイッチ１２３が操作されていない場合にはそのままステップＳ５０４に戻り、操作された場合にはステップＳ５０７にて設定値を１更新した後にステップＳ５０４に戻る。つまり、設定更新処理では、リセットスイッチ１２３が操作される毎に設定値が１更新され、更新された設定値がクレジット表示部３５に表示される。なお、設定値が「６」のときにリセットスイッチ１２３が操作された場合、設定値は「１」に更新される。
【０１３３】
ステップＳ５０５にてスタートレバー７１が操作された場合には、ステップＳ５０８にて設定キーのＯＮ操作が継続してなされているか否かを判定する。設定キーのＯＮ操作が継続してなされている場合にはそのまま待機し、ＯＮ操作が終了された場合にはステップＳ５０９にて次回のタイマ割込みを禁止する。その後、ステップＳ５１０にて設定値を保存し、ステップＳ５１１にてＲＡＭ１５３に記憶された設定値以外のデータをクリアして本処理を終了する。
【０１３４】
メイン処理の説明に戻り、ステップＳ４０４にて当選確率設定処理を行った後には、ステップＳ４０５にて遊技に関わる主要な制御を行う通常処理を実行する。
【０１３５】
一方、ステップＳ４０２にて設定キーが挿入されていない場合には、ステップＳ４０６以降に示す復電処理を行う。復電処理とは、スロットマシン１０の状態を電源遮断前の状態に復帰させる処理である。従って、復電処理では先ずＲＡＭ１５３のデータが正常かどうかを確認する必要がある。
【０１３６】
そこで、ステップＳ４０６では設定値が正常か否かを判定する。具体的には、設定値が１〜６のいずれかである場合に正常であると判定し、０又は７以上である場合に異常であると判定する。設定値が正常である場合には、ステップＳ４０７にて停電フラグがセットされているか否かを確認する。停電フラグがセットされている場合には、さらにステップＳ４０８にてＲＡＭ判定値が正常であるか否かを確認する。具体的には、ＲＡＭ１５３のチェックサムの値を調べ、その値が正常、つまりＲＡＭ判定値を加味したチェックサムの値が０か否かを確認する。ＲＡＭ判定値を加味したチェックサムの値が０である場合、ＲＡＭ１５３のデータは正常であると判定する。
【０１３７】
ステップＳ４０８においてＲＡＭ判定値が正常であると判定した場合にはステップＳ４０９に進み、バックアップエリアに保存されたスタックポインタの値をＣＰＵ１５１のスタックポインタに書き込み、スタックの状態を電源が遮断される前の状態に復帰させる。次に、ステップＳ４１０において、復電処理の実行を伝える復電コマンドを表示制御装置１１１に送信する。その後、ステップＳ４１１にて遊技状態として打ち止め及び自動精算設定保存処理を行い、ステップＳ４１２にてスタート検出センサ７１ａ等の各種センサの初期化を行う。以上の処理が終了した後、ステップＳ４１３にて停電フラグをリセットし、電源遮断前の番地に戻る。具体的には、先に説明したタイマ割込み処理に復帰し、ウォッチドッグタイマクリア処理（ステップＳ２０４）が実行されることとなる。
【０１３８】
一方、ステップＳ４０６〜ステップＳ４０８のいずれかがＮＯ、すなわち、設定値が異常である、電源遮断時にセットされる筈の停電フラグがセットされていない、又はＲＡＭ判定値が異常である場合には、ＲＡＭ１５３のデータが破壊された可能性が高い。このような場合には、ステップＳ４１４〜ステップＳ４１６に示す動作禁止処理を行う。動作禁止処理として、先ずステップＳ４１４にて次回のタイマ割込み処理を禁止し、ステップＳ４１５では入出力ポート１５５内の全ての出力ポートをクリアすることにより、入出力ポート１５５に接続された全てのアクチュエータをオフ状態に制御する。その後、ステップＳ４１６にてホール管理者等にエラーの発生を報知するエラー報知処理を行う。かかる動作禁止状態は、上述した当選確率設定処理が行われるまで維持される。
【０１３９】
次に、遊技に関わる主要な制御を行う通常処理について図１５のフローチャートに基づき説明する。なお、以下では、３枚のメダルがベットされて遊技が行われた場合について説明することとする。
【０１４０】
先ずステップＳ６０１では、メダルがベットされているか否かを判定する。メダルがベットされているときには、続いてステップＳ６０２にてスタートレバー７１が操作されたか否かを判定する。ステップＳ６０１，ステップＳ６０２が共にＹＥＳの場合には、ステップＳ６０３の抽選処理、ステップＳ６０４のリール制御処理、ステップＳ６０５のメダル払出処理、ステップＳ６０６のボーナスゲーム処理を順に実行し、ステップＳ６０１に戻る。一方、ステップＳ６０１にてメダルがベットされていない、またはステップＳ６０２にてスタートレバー７１が操作されていない場合には、ステップＳ６０１に戻る。
【０１４１】
次に、ステップＳ６０３の抽選処理について、図１６のフローチャートに基づき説明する。
【０１４２】
ステップＳ７０１では、スロットマシン１０の現在の設定状態やベットされたメダルの枚数等に基づき、当否決定用の抽選テーブルを選択する。ここで、スロットマシン１０の設定状態は「設定１」〜「設定６」のいずれかであり、「設定１」のときにＢＢ当選確率が最も低い抽選テーブルが選択され、「設定６」のときにＢＢ当選確率が最も高い抽選テーブルが選択される。また、ベットされるメダルの枚数は１〜３枚のいずれかであり、ベット枚数が多いほど役の当選確率が高くなるような抽選テーブルが選択される。例えば３枚ベットされたときの役の当選確率は、１枚ベットされたときの役の当選確率と比して３倍よりも高い確率となっている。ここで、抽選テーブルについて、簡単に説明する。図１７は、「設定１」の通常状態下で３枚ベットされた場合に選択される抽選テーブルである。抽選テーブルには、入賞となる役の数と同数のインデックス値ＩＶが設定されている。すなわち、通常状態下では、再遊技、チェリー、ベル、スイカ、ＢＢの５種類の入賞が発生し得る（図８参照）ため、１〜５の５つのインデックス値ＩＶが設定されている。そして、各インデックス値ＩＶには、入賞となる役がそれぞれ一義的に対応付けられると共に、ポイント値ＰＶが設定されている。なお、本スロットマシン１０における各抽選テーブルでは、設定値が高い抽選テーブルほどＢＢ役と対応するポイント値ＰＶが大きく設定されており、ベット枚数が多いほど各ポイント値ＰＶが大きく設定されている。
【０１４３】
ステップＳ７０２ではインデックス値ＩＶを１とし、続くステップＳ７０３では役の当否を判定する際に用いる判定値ＤＶを設定する。かかる判定値設定処理では、現在の判定値ＤＶに、現在のインデックス値ＩＶと対応するポイント値ＰＶを加算して新たな判定値ＤＶを設定する。なお、初回の判定値設定処理では、スタートレバー７１が操作されたときに乱数カウンタよりラッチした乱数値を現在の判定値ＤＶとし、この乱数値に現在のインデックス値ＩＶである１と対応するポイント値ＰＶを加算して新たな判定値ＤＶとする。ここで、乱数カウンタについて簡単に説明すると、本スロットマシン１０では、８ビットのシフトレジスタを２つ用いて０〜６５５３５の乱数を生成している。各シフトレジスタは定期的（例えば１００ｎｓ毎）に１ずつ更新され、各シフトレジスタの上位ビットと下位ビットを入れ替えた値がＣＰＵ１５１に入力され、スタートレバー７１が操作されたとき（すなわちスタート検出センサ７１ａのＯＮ信号を受信したとき）に入力されている値が乱数値としてラッチされる。これは初回の判定値設定処理にて用いられる乱数値を不規則なものとするための工夫であり、例えば各シフトレジスタのビットをランダムに入れ替えた値が乱数値としてラッチされる構成であってもよい。
【０１４４】
その後、ステップＳ７０４ではインデックス値ＩＶと対応する役の当否判定を行う。役の当否判定では判定値ＤＶが６５５３５を超えたか否かを判定し、６５５３５を超えた場合には、ステップＳ７０５にてそのときのインデックス値ＩＶと対応する役の当選フラグをセットする。ちなみに、当選フラグが小役当選フラグ又は再遊技当選フラグである場合、これら当選フラグは、該当選フラグがセットされたゲームの終了時にリセットされる。一方、当選フラグがＢＢ当選フラグである場合、ＢＢ当選フラグはＢＢ図柄の組合せが有効ライン上に成立したことを条件の１つとしてリセットされる。すなわち、ＢＢ当選フラグは、複数回のゲームにわたって有効とされる場合がある。なお、ＢＢ当選フラグを持ち越した次ゲーム以降における役の当否判定では、小役又は再遊技の当否判定は行うが、ＢＢに関する当否判定は行わない。
【０１４５】
ステップＳ７０４にて判定値ＤＶが６５５３５を超えなかった場合には、インデックス値ＩＶと対応する役に外れたことを意味する。かかる場合にはステップＳ７０６にてインデックス値ＩＶを１加算し、続くステップＳ７０７ではインデックス値ＩＶと対応する役があるか否か、すなわち当否判定すべき役があるか否かを判定する。具体的には、１加算されたインデックス値ＩＶが抽選テーブルに設定されたインデックス値ＩＶの最大値を超えたか否かを判定する。当否判定すべき役がある場合にはステップＳ７０３に戻り、役の当否判定を継続する。このとき、ステップＳ７０３では、先の役の当否判定に用いた判定値ＤＶ（すなわち現在の判定値ＤＶ）に現在のインデックス値ＩＶと対応するポイント値ＰＶを加算して新たな判定値ＤＶとし、ステップＳ７０４では、当該判定値ＤＶに基づいて役の当否判定を行う。ちなみに、図１７に示した抽選テーブルが選択された場合、ＢＢ当選確率は約３００分の１である。一方、再遊技及び小役当選確率はＢＢ当選確率よりも高く設定されており、再遊技当選確率は約７．３分の１、ベル当選確率は約７．０分の１、チェリー及びスイカ当選確率は１２８分の１である。
【０１４６】
ステップＳ７０５にて当選フラグをセットした後、又はステップＳ７０７にて当否判定すべき役がないと判定された場合には、ステップＳ７０８にてリール停止制御用のスベリテーブル（停止テーブル）を設定するスベリテーブル設定処理を行う。ここで、スベリテーブルとは、ストップスイッチ７２〜７４が押されたタイミングからリールをどれだけ滑らせた（回転させた）上で停止させるかが定められたテーブルである。すなわち、スベリテーブルとは、ストップスイッチ７２〜７４が押された際に基点位置（本実施形態では下ライン上）に到達している到達図柄と、前記基点位置に実際に停止させる停止図柄との関係が定められた停止データ群である。
【０１４７】
本実施の形態では、スベリテーブルに関するデータ構成に特徴を有するので、その点について説明する。
【０１４８】
本スロットマシン１０では、ストップスイッチ７２〜７４が操作された場合に、到達図柄をそのまま停止させる場合、対応するリールを１図柄分滑らせた後に停止させる場合、２図柄分滑らせた後に停止させる場合、３図柄分滑らせた後に停止させる場合、４図柄分滑らせた後に停止させる場合の５パターンがリールの停止態様として用意されている。これは、遊技者がストップスイッチ７２〜７４を操作するタイミングと、各表示窓３２Ｌ，３２Ｍ，３２Ｒから視認可能な範囲に停止する図柄配列（以下、「停止出目」と言う）とを密接に関連付けるための工夫である。つまり、ストップスイッチ７２〜７４が操作されたタイミングから規定時間（１９０ｍｓｅｃ）が経過するまでに各リール４２Ｌ，４２Ｍ，４２Ｒを停止させることにより、遊技者の操作によってあたかも停止出目が決定されたかのような印象を遊技者に抱かせることが可能となる。また、４図柄分までは滑らせることが可能な構成とすることにより、かかる規定時間内で可能な限り抽選に当選した役と対応する図柄の組合せを有効ライン上に停止させることが可能となる。
【０１４９】
このような停止態様に関する停止データは、左リール４２Ｌに５種類（滑りなし、１コマ滑り、２コマ滑り、３コマ滑り、４コマ滑り）、中リール４２Ｍに５種類、右リール４２Ｒに５種類必要である。この場合、各リール４２Ｌ，４２Ｍ，４２Ｒに関する停止データをビット単位で割り振る構成とすると、各リール４２Ｌ，４２Ｍ，４２Ｒに３ビットの停止データが必要となり、１バイトに納めることができなくなる。
【０１５０】
この点、本実施の形態では、各５種類の停止データが必要であるから、各停止データをまとめて６進数と仮定して圧縮データを作成している。即ち、停止データを「（左リール４２Ｌのデータ）×３６＋（中リール４２Ｍのデータ）×６＋（右リール４２Ｒのデータ）」からなる構成とする。この場合、各リール４２Ｌ，４２Ｍ，４２Ｒの停止データとして準備できる数は各々最大６種類であり、停止データ全体としては６×６×６＝２１６の組合せパターンが存在するが、これは１バイトで表現できる最大値である２５６以内となる。その結果、各リール４２Ｌ，４２Ｍ，４２Ｒに５種類も停止データが存在するにもかかわらず、全てのリール４２Ｌ，４２Ｍ，４２Ｒについての停止データを１バイト内に収めることができる。また、各リール４２Ｌ，４２Ｍ，４２Ｒには２１個の図柄が付されていることから、１つのスベリテーブルを２１バイトで構成することができ、主制御装置１３１の記憶容量を削減することが可能となる。ちなみに、本実施の形態では、２１バイトからなるスベリテーブルが約６０種類予めＲＯＭ１５２に記憶されている。
【０１５１】
また、各停止データを圧縮データとして記憶する本スロットマシン１０では、各停止データを使用するにあたって所定の解凍処理を行う。具体的には、到達図柄の図柄番号と対応する圧縮データを「３６」（＝６×６）で除算し、得られた商を左リール４２Ｌの停止データとして把握する。さらに、その除算して得られた余りを「６」で除算し、得られた商を中リール４２Ｍの停止データとして把握すると共に、その余りを右リール４２Ｒの停止データとして把握する。
【０１５２】
上述した処理を経て、ＣＰＵ１５１は各リール４２Ｌ，４２Ｍ，４２Ｒの停止データを解凍データとして把握することができる。なお、全てのリール４２Ｌ，４２Ｍ，４２Ｒについての停止データを１バイト内に収めることができる構成であればよく、例えば各停止データをまとめて５進数と仮定して圧縮データを作成してもよい。停止データが１バイト内におさまる条件としては、各リール４２Ｌ，４２Ｍ，４２Ｒの停止データとして準備可能な最大数を乗算したときに得られる値が２５６以下であればよい。従って、各リール４２Ｌ，４２Ｍ，４２Ｒにおいて、準備可能な停止データの最大数が同一である必要もない。例えば、左リール４２Ｌに６種類、中リール４２Ｍに８種類、右リール４２Ｒに４種類の停止データを準備可能とした場合であっても、停止データ全体の組合せパターンは６×８×４＝１９２通りとなり、１バイトで表現できる最大値２５６以下となるため、全てのリール４２Ｌ，４２Ｍ，４２Ｒについての停止データを１バイト内に収めることができる。ちなみに、かかる場合には、圧縮データを「（右リール４２Ｒのデータ）×４８＋（中リール４２Ｍのデータ）×６＋（左リール４２Ｌのデータ）」とし、解凍処理では、到達図柄の図柄番号と対応する圧縮データを「４８」で除算して得られた商を右リール４２Ｒの停止データとし、その除算して得られた余りを「６」で除算して得られた商を中リール４２Ｍの停止データとし、更にその余りを左リール４２Ｌの停止データとして把握することとなる。
【０１５３】
図１８は、スイカ図柄を有効ライン上に停止させる場合にセットされるスベリテーブルの一例である。滑り数が０である番号の図柄は、下ライン上に実際に停止する図柄である。例えば、左リール４２Ｌの７番図柄たる「ベル」図柄が下ライン上に到達している際に左ストップスイッチ７２が押された場合、左リール４２Ｌは滑ることなくそのまま停止し、９番図柄たる「スイカ」図柄が上ライン上に停止する。また、滑り数が０でない番号の図柄は、記載された図柄数分だけリールが滑ることを意味する。例えば、左リール４２Ｌの８番図柄たる「リプレイ」図柄が下ライン上に到達している際に左ストップスイッチ７２が押された場合、左リール４２Ｌは１図柄分だけ滑り、９番図柄たる「スイカ」図柄が下ライン上に停止する。すなわち、滑り数が０でない番号の図柄が下ライン上に到達している際にストップスイッチが押された場合、対応するリールは滑り数が０の図柄が下ライン上に到達するまで滑った後に停止する。このように、スベリテーブルでは、各リール４２Ｌ，４２Ｍ，４２Ｒに付された図柄が下ライン上に到達したタイミングでストップスイッチ７２〜７４を押された場合の滑り数が図柄番号毎に設定されている。そして、例えば図柄番号０における左滑り数２、中滑り数０、右滑り数３の停止データが１バイトの圧縮データとされ、各図柄番号についての圧縮データすなわち２１バイトの圧縮データから１つのスベリテーブルが構成されている。
【０１５４】
図１９に示すように、スベリテーブル設定処理では、先ずステップＳ８０１にてＢＢ当選フラグがセットされているか否かを判定する。ＢＢ当選フラグがセットされていない場合にはステップＳ８０２に進み、当選フラグと一義的に対応する第１当選番号をＲＡＭ１５３の当選番号格納エリア１５３ａにセットする。当選番号とはスベリテーブルをセットする際に用いるための番号であり、第１当選番号がセットされている場合には、当選フラグがセットされていない又は当選フラグが１つだけセットされていることを意味する。続くステップＳ８０３では、第１当選番号の値から一義的に定まるスベリテーブルをＲＡＭ１５３のスベリテーブル格納エリア１５３ｂにセットし、本処理を終了する。このとき、本スロットマシン１０では、左リール４２Ｌの当選フラグと対応する図柄が上ライン又は下ラインのいずれかに停止するように、中リール４２Ｍ及び右リール４２Ｒの当選フラグと対応する図柄が中ライン上に停止するように設定されたスベリテーブルをセットする。また、当選フラグがセットされていない外れの場合には、いずれの入賞態様も成立しないスベリテーブルをセットする。
【０１５５】
図１８に示すスベリテーブルは、スイカ当選フラグがセットされている場合に第１当選番号に基づいてセットされるスベリテーブルである。換言すれば、スイカ当選フラグがセットされている場合に最初にセットされるスベリテーブルであるとも言える。かかるスベリテーブルでは、例えば中リール４２Ｍの４番図柄たる「チェリー」図柄が下ライン上に到達している際に中ストップスイッチ７３が押された場合、中リール４２Ｍは滑ることなくそのまま停止し、５番図柄たる「スイカ」図柄が中ライン上に停止する。また、中リール４２Ｍの５番図柄たる「スイカ」図柄が下ライン上に到達している際に中ストップスイッチ７３が押された場合、中リール４２Ｍは３図柄分だけ滑って８番図柄たる「リーチ」図柄が下ライン上に停止し、９番図柄たる「スイカ」図柄が中ライン上に停止する。右リール４２Ｒについても同様であり、例えば右リール４２Ｒの４番図柄たる「スイカ」図柄が下ライン上に到達している際に右ストップスイッチ７４が押された場合、右リール４２Ｒは３図柄分だけ滑って７番図柄たる「リーチ」図柄が下ライン上に停止し、８番図柄たる「スイカ」図柄が中ライン上に停止する。このように、中リール４２Ｍ及び右リール４２Ｒについては、「スイカ」図柄が中ライン上に停止するように設定されている。
【０１５６】
但し、左リール４２Ｌについては、上ライン又は下ラインのいずれかに「スイカ」図柄が停止するように設定されている。すなわち、７番の「ベル」図柄が下ライン上に到達している際に左ストップスイッチ７２が押された場合、９番の「スイカ」図柄は上ライン上に停止し、８番の「リプレイ」図柄又は９番の「スイカ」図柄が下ライン上に到達している際に左ストップスイッチ７２が押された場合、９番の「スイカ」図柄は下ライン上に停止する。これは、一般的に左リール４２Ｌ→中リール４２Ｍ→右リール４２Ｒの順に回転を停止させるべくストップスイッチ７２〜７４が操作されることを考慮し、停止出目を多様化させるための工夫である。
【０１５７】
また、かかるスベリテーブルが最初にセットされた場合であっても、ストップスイッチの押されたタイミングによっては「スイカ」図柄が有効ライン上に停止せず、所謂取りこぼしが発生することもある。これは、滑らせることのできる範囲をストップスイッチの押されたタイミングから１９０ｍｓｅｃ以内（最大４図柄分）と予め決めており、下ライン上に到達した「スイカ」図柄から次に下ライン上に到達する「スイカ」図柄までの間隔が５図柄分以上離れている区間を設定しているためである。例えば中リール４２Ｍでは、５番の「スイカ」図柄から９番の「スイカ」図柄までは３図柄分離れているのみである一方、９番の「スイカ」図柄から５番の「スイカ」図柄までは１６図柄分離れている。このため、例えば中リール４２Ｍの１１番の「リプレイ」図柄が下ライン上に到達しているタイミングで中ストップスイッチ７３が押された場合、仮に中リール４２Ｍを４図柄分滑らせても「スイカ」図柄を有効ライン上に停止させることはできない。本スロットマシン１０では、かかる「スイカ」図柄の他、「７」図柄及び「チェリー」図柄についても５図柄分以上離れた区間を設定している。つまり、スイカ入賞、ＢＢ入賞、チェリー入賞については、ストップスイッチの押されたタイミングによって取りこぼしが発生し得る。
【０１５８】
ここで、各リール４２Ｌ，４２Ｍ，４２Ｒに付された図柄の配列順序を、図７の左リール４２Ｌを参照しながら説明する。
【０１５９】
小役入賞となる図柄の組合せを形成する「ベル」図柄と、再遊技入賞となる図柄の組合せを形成する「リプレイ」図柄は、下ライン上に先に到達する図柄と次に到達する図柄との間が４図柄以下となるように配置されている。例えば、７番の「ベル」図柄と１０番の「ベル」図柄との間は２図柄離れるようにして、１９番の「ベル」図柄と２番の「ベル」図柄との間は４図柄離れるようにして配置されている。このように、「ベル」図柄と「リプレイ」図柄は、同種図柄同士の間隔が４図柄以下となるように配置されている。左リール４２Ｌは、左ストップスイッチ７２の操作されたタイミングから最大４図柄分滑らせた後に停止させることができるため、かかる図柄配列とすることにより、左ストップスイッチ７２が如何なるタイミングで操作された場合であっても、ベル当選フラグ又はリプレイ当選フラグがセットされていれば「ベル」図柄及び「リプレイ」図柄を有効ライン上に停止させることができる。具体的には、１１番の「リプレイ」図柄が下ライン上に到達するタイミング、すなわち「ベル」図柄が下ライン上を通過した後のタイミングでストップスイッチ７２が操作された場合であっても、左リール４２Ｌを４図柄分滑らせることにより、１５番の「ベル」図柄を下ライン上に停止させることができる。
【０１６０】
一方、小役入賞となる図柄の組合せを形成する「スイカ」図柄は、９番の位置に１つだけ配置されている。従って、「スイカ」図柄が下ライン上に到達してから次に下ライン上に到達するまでには、左リール４２Ｌが２０図柄分回転する必要がある。つまり、左リール４２Ｌの場合、同一の「スイカ」図柄すなわち９番図柄たる「スイカ」図柄が下ライン上に到達する必要がある。但し、左リール４２Ｌは最大４図柄分までしか滑らせることができないため、「スイカ」図柄が下ライン上を通過した後のタイミングで左ストップスイッチ７２が操作された場合、「スイカ」図柄を有効ライン上に停止させることはできない。換言すれば、所定のタイミングで左ストップスイッチ７２が操作された場合に限って「スイカ」図柄を有効ライン上に停止させることができるよう、１０番の「ベル」図柄から左リール４２Ｌの回転する側に向かって８番の「リプレイ」図柄までの間に、「スイカ」図柄が配置されない非配置区間を形成したとも言える。ちなみに、「スイカ」図柄を有効ライン上に停止させるためには、３番の「リプレイ」図柄が下ライン上に到達してから９番の「スイカ」図柄が下ライン上に到達するまでの間に左ストップスイッチ７２を操作する必要がある。なお、下ライン上に「スイカ」図柄を停止させるためには、５番の「チェリー」図柄が下ライン上に到達してから９番の「スイカ」図柄が下ライン上に到達するまでの間に左ストップスイッチ７２が操作されなければならないが、表示窓３２Ｌから３個の図柄が視認可能であって、各位置について有効ラインが設定される構成においては、３番の「リプレイ」図柄が下ライン上に到達したタイミングで左ストップスイッチ７２が操作されたとしても、９番の「スイカ」図柄を上ライン上に停止させることができる。
【０１６１】
「チェリー」図柄は、５番と１３番の２カ所に配置されている。従って、５番の「チェリー」図柄が下ライン上に到達してから次に１３番の「チェリー」図柄が下ライン上に到達するまでには、左リール４２Ｌが８図柄分回転する必要がある。同様に、１３番の「チェリー」図柄が下ライン上に到達してから次に５番の「チェリー」図柄が下ライン上に到達するまでには、左リール４２Ｌが１３図柄分回転する必要がある。但し、左リール４２Ｌは最大４図柄分までしか滑らせることができないため、「チェリー」図柄が下ライン上を通過した後のタイミングで左ストップスイッチ７２が操作された場合、「チェリー」図柄を有効ライン上に停止させることはできない。換言すれば、所定のタイミングで左ストップスイッチ７２が操作された場合に限って「チェリー」図柄を有効ライン上に停止させることができるよう、６番の「リーチ」図柄から１２番の「チャンス」図柄までの間と、１４番の「青年」図柄から左リール４２Ｌの回転する側に向かって４番の「チャンス」図柄までの間に、「チェリー」図柄が配置されない非配置区間を形成したとも言える。ちなみに、「チェリー」図柄を有効ライン上に停止させるためには、２０番の「リプレイ」図柄が下ライン上に到達してから５番の「チェリー」図柄が下ライン上に到達するまでの間、又は７番の「ベル」図柄が下ライン上に到達してから１３番の「チェリー」図柄が下ライン上に到達するまでの間に左ストップスイッチ７２を操作する必要がある。
【０１６２】
さらに、「チェリー」図柄と「スイカ」図柄は、３図柄分離れるようにして配置されている。すなわち、「チェリー」図柄と「スイカ」図柄は、５図柄の範囲内に配置されている。これは、リールの停止態様として５パターンを有するスロットマシン１０において、小役入賞及び再遊技入賞の全てに対応できる位置を設定するための工夫であり、左ストップスイッチ７２の操作タイミングをより限定するための工夫である。換言すれば、５番の「チェリー」図柄から９番の「スイカ」図柄までの間と、９番の「スイカ」図柄から１３番の「チェリー」図柄までの間に、小役入賞及び再遊技入賞となる図柄を有効ライン上に停止させることができる区間を形成したとも言える。また、かかる構成においては、「チェリー」図柄と「スイカ」図柄のいずれか一方の図柄が有効ライン上に停止した場合、他方の図柄は有効ライン上に停止しない。従って、所定のタイミングで左ストップスイッチ７２を操作しなければ有効ライン上に停止しない「スイカ」図柄と「チェリー」図柄で役の複合が発生することを回避でき、予め用意するスベリテーブル数を削減することが可能となると共に主制御装置１３１の記憶容量を低減させることが可能となる。「スイカ」図柄と「チェリー」図柄が共に有効ライン上に停止する図柄配列とした場合、第１停止指令として左ストップスイッチ７２以外のストップスイッチが操作された場合に、役の複合が発生しないよう例えば停止位置を限定する等の制御が必要となり、複数のスベリテーブルを予め用意する必要が生じるからである。ここで、役の複合とは、例えば上ライン上で「スイカ」図柄を揃えようとしたときに左リール４２Ｌの「チェリー」図柄が下ライン上に停止する場合のように、複数の入賞が同時に発生する場合をいう。
【０１６３】
加えて、「チェリー」図柄の上下には、入賞と関与しない無特典図柄としての「チャンス」図柄、「リーチ」図柄、「青年」図柄が配置されている。これは、「ベル」図柄等の図柄の組合せによって入賞が成立するものと、左リール４２Ｌ単独で入賞が成立する「チェリー」図柄とで役の複合が発生することを抑制するための工夫であり、かかる構成とすることにより、予め用意するスベリテーブル数を削減することが可能となると共に、主制御装置１３１の記憶容量を低減させることが可能となる。第１停止指令として左ストップスイッチ７２以外のストップスイッチが操作された場合、役の複合を回避させるべく例えば「ベル」図柄等の組合せ図柄の停止する有効ラインを限定する必要が生じるが、「チェリー」図柄と少なくとも１図柄分離れて配置されているため、停止させる位置に制約を受けることを抑制することが可能となり、予め用意するスベリテーブル数の増加を抑制することが可能となるからである。この他、「７」図柄の上流側には「青年」図柄が配置されており、２０番の「リプレイ」図柄と２番の「ベル」図柄との間には無特典図柄としての「ラッキー」図柄が配置されている。これら無特典図柄は、停止出目が単調化することを抑制するための工夫である。仮に特典と関与する図柄のみからなる図柄配列とした場合、本実施形態では５種類の図柄しか各リール４２Ｌ，４２Ｍ，４２Ｒに配置することができず、停止出目が単調化する可能性があるからである。ちなみに、９種類の図柄全てを特典と関与する図柄とした場合、各リール４２Ｌ，４２Ｍ，４２Ｒの滑り数が予め決められている中で、取りこぼしの発生する頻度が高まることが懸念される。
【０１６４】
以上の通り、「ベル」図柄及び「リプレイ」図柄は、左ストップスイッチ７２が如何なるタイミングで操作された場合であっても有効ライン上に停止させることができる。「スイカ」図柄は、３番の「リプレイ」図柄が下ライン上に到達してから９番の「スイカ」図柄が下ライン上に到達するまでの間に左ストップスイッチ７２が操作されれば、有効ライン上に停止させることができる。「チェリー」図柄は、２０番の「リプレイ」図柄が下ライン上に到達してから５番の「チェリー」図柄が下ライン上に到達するまでの間、又は７番の「ベル」図柄が下ライン上に到達してから１３番の「チェリー」図柄が下ライン上に到達するまでの間に左ストップスイッチ７２が操作されれば、有効ライン上に停止させることができる。つまり、小役入賞及び再遊技入賞となる各図柄を有効ライン上に停止させるためには、３番の「リプレイ」図柄が下ライン上に到達してから５番の「チェリー」図柄が下ライン上に到達するまでの間、又は７番の「ベル」図柄が下ライン上に到達してから９番の「スイカ」図柄が下ライン上に到達するまでの間に左ストップスイッチ７２を操作する必要がある。換言すれば、５番の「チェリー」図柄又は９番の「スイカ」図柄が有効ライン上に到達している間に左ストップスイッチ７２が操作されれば、小役入賞及び再遊技入賞となる各図柄を有効ライン上に停止させることができるとも言える。
【０１６５】
状態移行図柄としての「７」図柄は、１７番の位置に１つだけ配置されている。従って、例えば「７」図柄が下ライン上に到達してから次に下ライン上に到達するまでには、左リール４２Ｌが２０図柄分回転する必要がある。つまり、左リール４２Ｌの場合、「７」図柄が下ライン上に到達するためには、同一の「７」図柄すなわち１７番図柄たる「７」図柄が下ライン上に到達する必要がある。但し、左リール４２Ｌは最大４図柄分までしか滑らせることができないため、「７」図柄が下ライン上を通過した後のタイミングでストップスイッチ７２が操作された場合、「７」図柄を有効ライン上に停止させることはできない。「７」図柄を有効ライン上に停止させるためには、１１番の「リプレイ」図柄が下ライン上に到達してから１７番の「７」図柄が下ライン上に到達するまでの間に左ストップスイッチ７２を操作する必要がある。一方、小役入賞及び再遊技入賞となる各図柄を有効ライン上に停止させるためには、５番の「チェリー」図柄又は９番の「スイカ」図柄が有効ライン上に到達している間に左ストップスイッチ７２を操作する必要がある。つまり、小役入賞及び再遊技入賞となる各図柄を有効ライン上に停止させるべく左ストップスイッチ７２を操作した場合には「７」図柄が有効ライン上に停止せず、「７」図柄を有効ライン上に停止させるべく左ストップスイッチ７２を操作した場合には、小役入賞及び再遊技入賞となる図柄のいずれかが有効ライン上に停止しない。「７」図柄は、５番の「チェリー」図柄に対して左リール４２Ｌの回転する上流側に１１図柄分離れると共に下流側に８図柄分離れており、９番の「スイカ」図柄に対して上流側に７図柄分離れると共に下流側に１２図柄分離れているからである。
【０１６６】
また、「７」図柄は、「スイカ」図柄及び「チェリー」図柄の非配置区間に配置されているとも言える。具体的に説明すると、「７」図柄は、１３番の「チェリー」図柄から３図柄分離れており、９番の「スイカ」図柄から７図柄分離れており、５番の「チェリー」図柄から１１図柄分離れている。また、５番の「チェリー」図柄は、「７」図柄から８図柄分離れている。従って、「７」図柄が有効ライン上に停止した場合には、「スイカ」図柄及び「チェリー」図柄が有効ライン上に停止しない。かかる構成とすることにより、所定のタイミングで左ストップスイッチ７２を操作しなければ有効ライン上に停止しない「スイカ」図柄又は「チェリー」図柄と「７」図柄で役の複合が発生することを回避でき、予め用意するスベリテーブル数を削減することが可能となると共に、主制御装置１３１の記憶容量を軽減させることが可能となる。
【０１６７】
なお、中リール４２Ｍ及び右リール４２Ｒについても、小役入賞及び再遊技入賞となる各図柄を有効ライン上に停止させるべくストップスイッチ７３，７４を操作した場合には「７」図柄が有効ライン上に停止せず、「７」図柄を有効ライン上に停止させるべくストップスイッチ７３，７４を操作した場合には、小役入賞及び再遊技入賞となる図柄のいずれかが有効ライン上に停止しない図柄配列となっている。但し、中リール４２Ｍ及び右リール４２Ｒについては、「チェリー」図柄が入賞と関与しない無特典図柄であるため、有効ライン上に停止させるべく所定のタイミングでストップスイッチ７３，７４を操作する必要のある図柄は、「スイカ」図柄と「７」図柄である。
【０１６８】
スベリテーブル設定処理の説明に戻り、ステップＳ８０１にてＢＢ当選フラグがセットされていると判定した場合には、さらにステップＳ８０４にて他の当選フラグがセットされているか否かを判定する。他の当選フラグがセットされていない場合にはＢＢ当選フラグのみがセットされていることを意味するため、上述したステップＳ８０２〜ステップＳ８０３の処理を行い、本処理を終了する。一方、他の当選フラグがセットされている場合には、ＢＢ当選フラグを持ち越した状態で小役又は再遊技に当選したことを意味する。かかる場合にはステップＳ８０５に進み、セットされている当選フラグと一義的に対応する第２当選番号をＲＡＭ１５３の当選番号格納エリア１５３ａにセットする。第２当選番号がセットされている場合には、ＢＢ当選フラグと、小役当選フラグ又は再遊技当選フラグの２つがセットされていることを意味する。続くステップＳ８０６では、第２当選番号の値から一義的に定まるスベリテーブルをＲＡＭ１５３のスベリテーブル格納エリア１５３ｂにセットし、本処理を終了する。このとき、本スロットマシン１０では、ＢＢ当選フラグと他の当選フラグの少なくとも一方と対応する図柄が有効ライン上のいずれかに停止するよう設定されたスベリテーブルをセットする。具体的に説明すると、他の当選フラグが再遊技当選フラグである場合、「７」図柄より「リプレイ」図柄が優先して有効ライン上に停止するように設定されたスベリテーブルをセットする。一方、他の当選フラグが小役当選フラグである場合、「７」図柄が優先して有効ライン上に停止するように、且つ「７」図柄を有効ライン上に停止させられない場合は小役当選フラグと対応する図柄が有効ライン上に停止するように設定されたスベリテーブルをセットする。さらに、他の当選フラグが小役当選フラグたるベル当選フラグである場合には、上述した設定に加えて、「７」図柄と「ベル」図柄とを共に有効ライン上に停止させることが可能な場合、「７」図柄と「ベル」図柄が共に有効ライン上に停止するように設定されたスベリテーブルをセットする。
【０１６９】
抽選処理の説明に戻り、スベリテーブル設定処理が終了すると、ステップＳ７０９〜ステップＳ７１４に示すナビ演出設定処理を行う。ここで、ナビ演出とは、「７」図柄と、最初に停止させたリールに付された図柄のうち有効ライン上に停止した図柄とを用いて、ＢＢ当選を示唆する演出である。ナビ演出設定処理では、先ずステップＳ７０９においてＢＢ当選フラグがセットされているか否かを判定する。ＢＢ当選フラグがセットされている場合にはステップＳ７１０に進み、他の当選フラグがセットされているか否か、すなわちＢＢ当選が持ち越されている状況下で小役又は再遊技に当選したか否かを判定する。他の当選フラグがセットされていない場合にはステップＳ７１１に進み、スタートレバー７１が操作されたときに乱数カウンタよりラッチした乱数に基づいて、ナビ演出を行うか否かのナビ演出抽選を行う。本スロットマシン１０におけるナビ演出抽選の当選確率は約５分の１である。続くステップＳ７１２ではナビ演出抽選に当選したか否かを判定する。ナビ演出抽選に当選した場合には、ナビ演出を開始すべくステップＳ７１３にてナビフラグをセットすると共にステップＳ７１４にて開始コマンドをセットし、本処理を終了する。ここで、開始コマンドとは表示制御装置１１１に対して送信されるコマンドであり、表示制御装置１１１は、当該コマンドを受信することにより、ナビ演出を開始させるべくスピーカ１４や補助表示部１５等の駆動制御を開始する。なお、開始コマンドの表示制御装置１１１への送信は、先述したタイマ割込み処理中のコマンド処理Ｓ２１０（図１１参照）にて行われる。
【０１７０】
一方、ステップＳ７０９にてＢＢ当選フラグがセットされていなかった場合、ステップＳ７１０にて他の当選フラグがセットされていた場合、ステップＳ７１２にてナビ演出抽選に当選しなかった場合には、ナビフラグ等をセットすることなくそのまま本処理を終了する。
【０１７１】
次に、ステップＳ６０４のリール制御処理について、図２０のフローチャートに基づき説明する。なお、理解を容易なものとするため、ここでは実際のゲームの進行に即して説明すると共に図７の図柄配列を適宜参照しながら説明することとする。
【０１７２】
リール制御処理では、先ずステップＳ９０１において各リール４２Ｌ，４２Ｍ，４２Ｒの回転を開始させる回転開始処理を行う。回転開始処理では、前回のゲームにおいてリールの回転を開始した時点から所定時間（例えば４．１秒）が経過したか否かを確認し、当該時間が経過するまで待機するウエイト処理を行った後に各リール４２Ｌ，４２Ｍ，４２Ｒの回転を開始させる。このため、遊技者がメダルをベットしてスタートレバー７１を操作したとしても、直ちに各リール４２Ｌ，４２Ｍ，４２Ｒが回転を開始しない場合がある。続くステップＳ９０２では、ストップスイッチ７２〜７４のいずれかが操作されてリールの停止指令が発生したか否か、より具体的にはストップ検出センサ７２ａ〜７４ａからのＯＮ信号を受信したか否かを判定し、停止指令が発生していない場合には停止指令が発生するまで待機する。但し、本実施形態では、各リール４２Ｌ，４２Ｍ，４２Ｒが回転を開始してから所定の速度で定速回転するまでの期間を無効期間として設定しており、この無効期間内にストップスイッチ７２〜７４が操作されても、ストップ検出センサ７２ａ〜７４ａからのＯＮ信号を無効化する。ちなみに本実施形態では、各リール４２Ｌ，４２Ｍ，４２Ｒが回転を開始してから０．５秒が経過するまでの期間を無効期間として設定している。
【０１７３】
ステップＳ９０２にてストップスイッチ７２〜７４のいずれかが操作されて停止指令が発生した場合には、ステップＳ９０３に進み、今回の停止指令が第３停止指令か否か、すなわち１つのリールのみが回転しているときにストップスイッチが操作されたか否かを判定する。全リール４２Ｌ，４２Ｍ，４２Ｒが回転しているときにストップスイッチ７２〜７４のいずれかが操作された場合、今回の停止指令は第１停止指令であることを意味する。かかる場合にはステップＳ９０３にて否定判定を行い、ステップＳ９０４にてスベリテーブル第１変更処理を行う。スベリテーブル第１変更処理とは、停止指令の発生に基づいてリールを停止させる前に行うスベリテーブルの変更処理である。
【０１７４】
スベリテーブル第１変更処理では、図２１のフローチャートに示すように、ステップＳ１００１にて今回の停止指令が第１停止指令か否かを判定する。今回の停止指令は第１停止指令であるため、ステップＳ１００２〜ステップＳ１００８に示す第１停止変更処理を行う。第１停止変更処理では、ステップＳ１００２にていずれのストップスイッチが操作されたかを確認し、ステップＳ１００３では、操作されたストップスイッチが左ストップスイッチ７２か否かを判定する。そして、左ストップスイッチ７２が操作されていた場合には、スベリテーブルを変更することなくそのまま本処理を終了する。これは、先のスベリテーブル設定処理（図１９参照）において、左ストップスイッチ７２が最初に操作されることを想定してスベリテーブルをセットしているためである。
【０１７５】
一方、左ストップスイッチ７２以外のストップスイッチが操作された場合、想定された順序（すなわち左ストップスイッチ７２→中ストップスイッチ７３→右ストップスイッチ７４の順序）と異なる順序でストップスイッチが操作されたことを意味する。かかる場合にはステップＳ１００４に進み、ＲＡＭ１５３の当選番号格納エリア１５３ａにセットされた当選番号を確認する。続くステップＳ１００５では、確認した当選番号から再遊技に当選しているか否かを把握する。具体的には、確認した当選番号が、再遊技当選を意味する第１当選番号又は再遊技当選とＢＢ当選を意味する第２当選番号か否かを判定する。再遊技に当選している場合にはステップＳ１００６に進み、ＲＡＭ１５３のスベリテーブル格納エリア１５３ｂにセットされたスベリテーブルを、再遊技入賞を成立させるための入賞確定用スベリテーブルに変更して本処理を終了する。ここで、入賞確定用スベリテーブルとは、セットされた当選フラグと対応する入賞が成立しない所謂取りこぼしの発生を回避するためのスベリテーブルである。
【０１７６】
図２２は、再遊技当選している場合にセットされる入賞確定用スベリテーブルである。かかるスベリテーブルでは、左リール４２Ｌの「リプレイ」図柄が上ライン上に停止し、中リール４２Ｍの「リプレイ」図柄が中ライン上に停止し、右リール４２Ｒの「リプレイ」図柄が下ライン上に停止するように設定されている。すなわち、再遊技当選時の入賞確定用スベリテーブルは、再遊技入賞が右下がりライン上に成立するように設定されている。これは、役の複合が発生することを回避させつつ再遊技入賞を成立させるための工夫である。左リール４２Ｌの「チェリー」図柄はその図柄単独で入賞を成立させることが可能な図柄であるため、左ストップスイッチ７２が最初に操作されなかった場合、再遊技入賞等の図柄の組合せによって入賞が成立するものと、左リール４２Ｌ単独で入賞が成立するチェリー入賞とで役の複合が発生し得る。具体的には、中リール４２Ｍと右リール４２Ｒの「リプレイ」図柄が下ライン上に停止している状況下で左リール４２Ｌの３番図柄たる「リプレイ」図柄を下ライン上に停止させた場合、上ライン上に５番図柄たる「チェリー」図柄が停止するため、再遊技入賞とチェリー入賞が同時に成立する役の複合が発生してしまう。しかしながら、先の抽選処理において再遊技とチェリーに共に当選することはないため、役の複合が発生する矛盾を回避させる必要がある。そこで、左ストップスイッチ７２以外のストップスイッチが最初に操作された場合には右下がりライン上に再遊技入賞が成立する入賞確定用スベリテーブルをセットすることにより、役の複合を回避させつつ再遊技入賞を成立させることが可能となる。
【０１７７】
ステップＳ１００５にて再遊技当選していないと判定した場合、ステップＳ１００７にてベル当選のみしているか否か、具体的にはステップＳ１００４にて確認した当選番号がベル当選を意味する第１当選番号と一致するか否かを確認する。そして、ベルにのみ当選していた場合、上述したステップＳ１００６に進み、ＲＡＭ１５３のスベリテーブル格納エリア１５３ｂにセットされたスベリテーブルを、ベル入賞を成立させるための入賞確定用スベリテーブルに変更して本処理を終了する。詳細な説明は省略するが、ベル当選時の入賞確定用スベリテーブルは、ベル入賞が中ライン上に成立するように設定されている。これは、役の複合が発生することを回避させつつベル入賞を成立させるための工夫である。例えば、中リール４２Ｍと右リール４２Ｒの「ベル」図柄が上ライン上に停止している状況下で左リール４２Ｌの７番図柄たる「ベル」図柄を上ライン上に停止させた場合、下ライン上に５番図柄たる「チェリー」図柄が停止するため、ベル入賞とチェリー入賞が同時に成立する役の複合が発生してしまう。しかしながら、先の抽選処理においてベルとチェリーに共に当選することはないため、役の複合が発生する矛盾を回避させる必要がある。そこで、左ストップスイッチ７２以外のストップスイッチが最初に操作された場合には中ライン上にベル入賞が成立する入賞確定用スベリテーブルをセットすることにより、役の複合を回避させつつベル入賞を成立させることが可能となる。
【０１７８】
ステップＳ１００７にて否定判定をした場合、すなわちＢＢ等の再遊技とベル以外の役に当選した場合又はいずれの役にも当選していない場合には、ステップＳ１００８に進み、ＲＡＭ１５３のスベリテーブル格納エリア１５３ｂにセットされたスベリテーブルを、当選番号及び操作されたストップスイッチと一義的に対応する変則押し用スベリテーブルに変更して本処理を終了する。本スロットマシン１０では、スベリテーブル設定処理にてセットされるスベリテーブルと同様、当選フラグと対応する図柄の停止可能な位置を複数設定されたスベリテーブルが、中リール４２Ｍ及び右リール４２Ｒについてもそれぞれ用意されている。そして、左ストップスイッチ７２以外のストップスイッチが最初に操作された場合には、当選フラグと対応する図柄の停止可能な位置が左リール４２Ｌに複数設定されたスベリテーブルから、操作されたストップスイッチと対応するリールに複数設定されたスベリテーブルに変更する。これは、取りこぼしの発生頻度を低減させるための工夫である。図１８に示すスベリテーブルを例に説明すると、例えば中リール４２Ｍの９番図柄たる「スイカ」図柄が下ライン上に到達しているタイミングで中ストップスイッチ７３が操作された場合、かかるスベリテーブルでは１２番の「青年」図柄が下ライン上に停止し、「スイカ」図柄が有効ライン上に停止しない。つまり、図１８に示すスベリテーブルに基づいて中リール４２Ｍを停止させた場合、「スイカ」図柄を有効ライン上に停止させることが可能なタイミングで中ストップスイッチ７３が操作されたにも関わらず、スイカ入賞を取りこぼしてしまうこととなる。そこで、かかる不具合の発生を抑制すべく、左ストップスイッチ７２以外のストップスイッチが最初に操作された場合には、変則押し用スベリテーブルに変更することとしている。
【０１７９】
スベリテーブル第１変更処理が終了した後、ステップＳ９０５では、かかるタイミングで下ライン上に到達している到達図柄の図柄番号を確認する。具体的には、リールインデックスセンサ５５の検出信号が出力された時点からのパルス数により、下ライン上に到達している到達図柄の図柄番号を確認する。続くステップＳ９０６では、ＲＡＭ１５３のスベリテーブル格納エリア１５３ｂにセットされたスベリテーブルのうち、到達図柄と対応する図柄番号の圧縮データから今回停止させるべきリールのスベリ量を算出し、ステップＳ９０７にて下ライン上に実際に停止させる停止図柄の図柄番号を決定する。ステップＳ９０８では今回停止させるべきリールの到達図柄の図柄番号と停止図柄の図柄番号が等しくなったか否かを判定し、等しくなった場合にはステップＳ９０９にてリールの回転を停止させるリール停止処理を行う。そして、ステップＳ９１０では、全てのリールが停止したか否かを判定する。第１停止指令に基づいて上述したステップＳ９０３〜ステップＳ９０９の処理を行った場合、未だに２つのリールは回転中である。かかる場合にはステップＳ９１０にて否定判定を行い、続くステップＳ９１１にてスベリテーブル第２変更処理を行う。スベリテーブル第２変更処理とは、リールを停止させた後に行うスベリテーブルの変更処理である。
【０１８０】
ここで、スベリテーブル第２変更処理について図２３のフローチャートを用いて説明する。スベリテーブル第２変更処理では、ステップＳ１１０１にて現在セットされているスベリテーブルが入賞確定用スベリテーブルか否かを判定し、入賞確定用スベリテーブルである場合にはそのまま本処理を終了する。入賞確定用スベリテーブルでない場合にはステップＳ１１０２に進み、ＲＡＭ１５３の当選番号格納エリア１５３ａにセットされた当選番号を確認する。続くステップＳ１１０３では確認した当選番号が第２当選番号か否かを判定し、第２当選番号でないと判定した場合にはステップＳ１１０４にて現在停止しているリールの下ライン上に停止した停止図柄の図柄番号を確認する。ステップＳ１１０５では、停止図柄の図柄番号が、現在セットされているスベリテーブルから一義的に導かれる変更図柄の図柄番号と一致しているか否かを判定し、一致していない場合にはスベリテーブルを変更することなくそのまま本処理を終了する。停止図柄の図柄番号と変更図柄の図柄番号が一致している場合にはステップＳ１１０６に進み、ＲＡＭ１５３のスベリテーブル格納エリア１５３ｂにセットされたスベリテーブルを、ライン変更用スベリテーブルに変更して本処理を終了する。本スロットマシン１０では、スベリテーブル設定処理にてセットされるスベリテーブルと同様、当選フラグと対応する図柄の停止可能な位置を複数設定されたスベリテーブルが、中リール４２Ｍ及び右リール４２Ｒについてもそれぞれ用意されている。そして、第１停止指令に基づいて停止させたリールの停止図柄に応じて、当選フラグと対応する図柄の停止可能な位置が回転中の他のリールについて複数設定されたスベリテーブルに変更する。これは、各表示窓３２Ｌ，３２Ｍ，３２Ｒから視認可能な範囲に停止する図柄配列（以下、「停止出目」と言う）が単調化することを抑制するための工夫である。
【０１８１】
例えば図１８に示すスベリテーブルに基づいて左リール４２Ｌと中リール４２Ｍを停止させる構成とした場合、左リール４２Ｌの「スイカ」図柄は上ライン又は下ライン上に停止する一方、中リール４２Ｍの「スイカ」図柄は中ライン上にしか停止しない。ところが、左リール４２Ｌの「スイカ」図柄が上ライン上に停止した場合、中リール４２Ｍの「スイカ」図柄が中ラインではなく上ライン上に停止してもスイカ入賞の成立する余地が残る。同様に、左リール４２Ｌの「スイカ」図柄が下ライン上に停止した場合、中リール４２Ｍの「スイカ」図柄が中ラインではなく下ライン上に停止してもスイカ入賞の成立する余地が残る。つまり、図１８に示すスベリテーブルに基づいて左リール４２Ｌと中リール４２Ｍを停止させる構成とした場合、中リール４２Ｍの停止出目が過剰に制約を受けることとなる。そこで本スロットマシン１０では、停止したリールの停止図柄を確認し、確認結果に応じたライン変更用スベリテーブルに変更することとしている。具体的には、左リール４２Ｌの７番図柄たる「ベル」図柄が下ライン上に停止し、９番図柄たる「スイカ」図柄が上ライン上に停止した場合、上ライン又は中ライン上に中リール４２Ｍの「スイカ」図柄が停止するよう設定されたスベリテーブルに変更する。また、左リール４２Ｌの９番図柄たる「スイカ」図柄が下ライン上に停止した場合、中ライン又は下ライン上に中リール４２Ｍの「スイカ」図柄が停止するよう設定されたスベリテーブルに変更する。
【０１８２】
ちなみに、本スロットマシン１０では、停止図柄と変更図柄が一致した場合、以下に示すようなスベリテーブルに変更する。左リール４２Ｌが停止している場合、当選フラグと対応する図柄の停止可能な位置が中リール４２Ｍについて複数設定されたスベリテーブルに変更し、中リール４２Ｍが停止している場合、当選フラグと対応する図柄の停止可能な位置が右リール４２Ｒについて複数設定されたスベリテーブルに変更し、右リール４２Ｒが停止している場合、当選フラグと対応する図柄の停止可能な位置が左リール４２Ｌについて複数設定されたスベリテーブルに変更する。
【０１８３】
一方、ステップＳ１１０３にて肯定判定をした場合、すなわち確認した当選番号が第２当選番号であった場合、ステップＳ１１０７では、ＢＢ以外の当選が再遊技か否かを判定し、再遊技であった場合には上述したステップＳ１１０４〜ステップＳ１１０６の処理を行い、本処理を終了する。また、ＢＢ以外の当選が小役当選である場合には、ステップＳ１１０８にて第２当選番号時処理を行い、本処理を終了する。
【０１８４】
第２当選番号時処理では、図２４のフローチャートに示すように、ステップＳ１２０１にてＢＢ以外の当選がベル当選か否かを判定する。ベル当選であった場合にはステップＳ１２０２に進み、ＢＢ入賞及びベル入賞が共に成立する可能性があるか否かを判定する。具体的には、現在停止しているリールの下ライン上に停止した停止図柄の図柄番号を確認し、有効ライン上に「７」図柄と「ベル」図柄が共に停止しているか否かを判定する。例えば、第１停止指令に基づいて左リール４２Ｌの１５番図柄たる「ベル」図柄が下ライン上に停止した場合、１７番図柄たる「７」図柄が上ライン上に停止することとなる。従って、第１停止指令に基づいて左リール４２Ｌが停止した段階では、ＢＢ入賞、ベル入賞共に成立する可能性がある。かかる場合にはステップＳ１２０３に進み、ＲＡＭ１５３のスベリテーブル格納エリア１５３ｂにセットされたスベリテーブルを、「７」図柄及び「ベル」図柄を共に有効ライン上に停止させることが可能に設定された同時成立用スベリテーブルに変更して本処理を終了する。具体的には、第１停止指令に基づいて左リール４２Ｌの１５番図柄たる「ベル」図柄が下ライン上に停止した場合、中リール４２Ｍの１４番図柄たる「ベル」図柄が下ライン上に停止するように設定されたスベリテーブルに変更し、第１停止指令に基づいて中リール４２Ｍの１４番図柄たる「ベル」図柄が下ライン上に停止した場合、左リール４２Ｌの１５番図柄たる「ベル」図柄が下ライン上に停止するように設定されたスベリテーブルに変更する。なお、これら同時成立用スベリテーブルは、「７」図柄と「ベル」図柄を共に有効ライン上に停止させることが不可能な場合、「７」図柄を有効ライン上に停止させるように、さらに「７」図柄を有効ライン上に停止させることが不可能な場合、「ベル」図柄を有効ライン上に停止させるように設定されている。
【０１８５】
ステップＳ１２０２において否定判定をした場合、続くステップＳ１２０４ではＢＢ入賞の成立する可能性があるか否か、すなわち有効ライン上に「７」図柄が停止しているか否かを判定する。有効ライン上に「７」図柄が停止している場合にはステップＳ１２０５に進み、ＲＡＭ１５３のスベリテーブル格納エリア１５３ｂにセットされたスベリテーブルを、「７」図柄が有効ライン上に停止するように設定されたＢＢ入賞用スベリテーブルに変更して本処理を終了する。また、ステップＳ１２０４にてＢＢ入賞の成立する可能性がないと判定した場合には、ステップＳ１２０６に進み、ＲＡＭ１５３のスベリテーブル格納エリア１５３ｂにセットされたスベリテーブルを、「ベル」図柄が有効ライン上に停止するように設定されたベル入賞用スベリテーブルに変更して本処理を終了する。
【０１８６】
ステップＳ１２０１にてＢＢ当選以外の当選役がベルでなかった場合には、当該当選役がスイカ又はチェリーであることを意味する。かかる場合にはステップＳ１２０７に進み、ＢＢ入賞の成立する可能性があるか否か、すなわち有効ライン上に「７」図柄が停止しているか否かを判定する。有効ライン上に「７」図柄が停止している場合にはステップＳ１２０８に進み、ＲＡＭ１５３のスベリテーブル格納エリア１５３ｂにセットされたスベリテーブルを、「７」図柄が有効ライン上に停止するように設定されたＢＢ入賞用スベリテーブルに変更して本処理を終了する。また、ステップＳ１２０７にてＢＢ入賞の成立する可能性がないと判定した場合には、ステップＳ１２０９に進み、ＲＡＭ１５３のスベリテーブル格納エリア１５３ｂにセットされたスベリテーブルを、ＢＢ以外の当選役と対応する図柄（「スイカ」図柄又は「チェリー」図柄）が有効ライン上に停止するように設定された小役入賞用スベリテーブルに変更して本処理を終了する。
【０１８７】
スベリテーブル第２変更処理に続いて、ステップＳ９１２ではナビ図柄設定処理を行う。ナビ図柄設定処理とは、ナビ演出を行う場合に、補助表示部１５にて示唆すべき図柄を決定するための処理である。
【０１８８】
ここで、ナビ図柄設定処理について図２５のフローチャートを用いて説明する。ナビ図柄設定処理では、ステップＳ１３０１にてナビフラグがセットされているか否かを判定し、セットされていない場合にはその後の処理を行うことなく本処理を終了する。ナビフラグがセットされている場合にはステップＳ１３０２に進み、今回の停止指令が第１停止指令か否かを判定する。今回の停止指令は第１停止指令であるためステップＳ１３０３に進み、現在停止しているリールの停止出目を把握する。具体的には、下ライン上に停止している停止図柄の図柄番号を確認し、確認した図柄番号に基づいて表示窓から視認可能な範囲、すなわち各有効ライン上に停止している図柄を把握する。例えば、左リール４２Ｌの７番図柄が下ライン上に停止していることを確認した場合、表示窓３２Ｌから視認可能な範囲には７番〜９番図柄が、すなわち「ベル」図柄、「リプレイ」図柄、「スイカ」図柄が停止していると把握できる。続くステップＳ１３０４〜ステップＳ１３１０では、先のステップＳ１３０３にて把握した停止出目からナビ演出にて示唆する示唆図柄を選択する示唆図柄選択処理を行う。
【０１８９】
示唆図柄選択処理では、先ずステップＳ１３０４において停止出目に「スイカ」図柄が含まれているか否かを判定する。停止出目に「スイカ」図柄が含まれている場合、スイカ入賞の成立する可能性があることを意味するため、ステップＳ１３０５にてスイカコマンドをセットして本処理を終了する。ここで、スイカコマンドとは、表示制御装置１１１に対して送信される図柄コマンドの一種であり、表示制御装置１１１は、図柄コマンドを受信することにより、図柄コマンドと対応する図柄をナビ演出にて示唆させるべくスピーカ１４や補助表示部１５等の駆動制御を行う。なお、図柄コマンドの表示制御装置１１１への送信は、先述したタイマ割込み処理中のコマンド処理Ｓ２１０（図１１参照）にて行われる。一方、ステップＳ１３０４において停止出目に「スイカ」図柄が含まれていないと判定した場合、ステップＳ１３０６では停止出目に「ベル」図柄が含まれているか否かを判定する。停止出目に「ベル」図柄が含まれている場合にはベル入賞の成立する可能性があることを意味するため、ステップＳ１３０７にて図柄コマンドの一種たるベルコマンドをセットして本処理を終了する。また、停止出目に「ベル」図柄が含まれていないと判定した場合にはステップＳ１３０８に進み、停止出目に「リプレイ」図柄が含まれているか否かを判定する。停止出目に「リプレイ」図柄が含まれている場合には再遊技入賞の成立する可能性があることを意味するため、ステップＳ１３０９にて図柄コマンドの一種たるリプレイコマンドをセットして本処理を終了する。また、停止出目に「リプレイ」図柄が含まれていないと判定した場合にはステップＳ１３１０に進み、図柄コマンドの一種たるＢＢコマンドをセットして本処理を終了する。
【０１９０】
このように本スロットマシン１０では、「スイカ」図柄→「ベル」図柄→「リプレイ」図柄の順で停止出目に含まれている図柄を確認し、確認した図柄が含まれていた時点でナビ図柄を決定する構成としている。換言すれば、示唆演出において示唆される図柄には、「スイカ」図柄→「ベル」図柄→「リプレイ」図柄→「７」図柄の順で優先順位が設定されているとも言える。なお、左リール４２Ｌには、表示窓３２Ｌから視認可能となる図柄数と同数の範囲内に「スイカ」図柄，「ベル」図柄，「リプレイ」図柄，「７」図柄のいずれの図柄も含まれない範囲（４番〜６番及び１２番〜１４番）が存在する。ところが、これら範囲はチェリーに当選している場合にのみ有効ライン上に停止し得る箇所であり、ナビ演出はチェリー当選時には行われない演出である。つまり、これら範囲がナビ演出時に停止出目として停止することはなく、停止出目の中には上述した４つの図柄のうち少なくとも１つが必ず含まれる。
【０１９１】
以上のように、第１停止指令に基づいて対応するリールを停止させると共にナビ図柄設定処理を行うと、ステップＳ９０２に戻り、回転中のリールと対応するストップスイッチのいずれかが操作されて次の停止指令が発生するまで待機する。
【０１９２】
ステップＳ９０２にて回転中のリールと対応するストップスイッチのいずれかが操作されて停止指令が発生した場合には、ステップＳ９０３に進み、今回の停止指令が第３停止指令か否かを判定する。いずれか１つのリールが停止しているときにストップスイッチが操作された場合、今回の停止指令は第２停止指令であることを意味する。かかる場合にはステップＳ９０３にて否定判定を行い、ステップＳ９０４にてスベリテーブル第１変更処理を行う。
【０１９３】
スベリテーブル第１変更処理では、図２１のフローチャートに示すように、ステップＳ１００１にて今回の停止指令が第１停止指令か否かを判定する。今回の停止指令は第２停止指令であるため、ステップＳ１００９〜ステップＳ１０１４に示す第２停止変更処理を行う。第２停止変更処理では、ステップＳ１００９にて現在セットされているスベリテーブルが入賞確定用スベリテーブルか否かを判定し、入賞確定用スベリテーブルである場合にはそのまま本処理を終了する。入賞確定用スベリテーブルでない場合にはステップＳ１０１０に進み、第１停止指令及び第２停止指令がいずれのストップスイッチ７２〜７４に対してどのような順序でなされたかを確認する。続くステップＳ１０１１では、確認結果が左ストップスイッチ７２→中ストップスイッチ７３の順に操作される順押し操作であったか否かを判定し、順押し操作であった場合にはスベリテーブルを変更することなくそのまま本処理を終了する。これは、先のスベリテーブル第２変更処理において、左ストップスイッチ７２が最初に操作された場合は次に中ストップスイッチ７３が操作されることを想定したスベリテーブルに変更しているためであり、スベリテーブル第２変更処理においてスベリテーブルを変更していない場合であっても、先のスベリテーブル設定処理において中リール４２Ｍの当選フラグと対応する図柄が中ライン上に停止するスベリテーブルをセットしているためである。
【０１９４】
ステップＳ１０１１において順押し操作でないと判定した場合にはステップＳ１０１２に進み、第１停止指令に基づいて停止したリールの下ライン上に停止した停止図柄の図柄番号を確認する。ステップＳ１０１３では、停止図柄の図柄番号が、現在セットされているスベリテーブルから一義的に導かれる変更図柄の図柄番号と一致しているか否かを判定し、一致しない場合にはスベリテーブルを変更することなくそのまま本処理を終了する。停止図柄の図柄番号と変更図柄の図柄番号が一致した場合にはステップＳ１０１４に進み、ＲＡＭ１５３のスベリテーブル格納エリア１５３ｂにセットされたスベリテーブルを、ライン変更用スベリテーブルに変更して本処理を終了する。具体的には、第１停止指令に基づいて停止させたリールの停止図柄に応じて、当選フラグと対応する図柄の停止可能な位置が第２停止指令に基づいて停止させるリールについて複数設定されたスベリテーブルに変更する。例えば、スイカ当選フラグがセットされ、左リール４２Ｌの「スイカ」図柄が上ライン上に停止している状況下で右ストップスイッチ７４が第２停止指令として操作された場合、スイカ入賞を成立させるためには右リール４２Ｒの「スイカ」図柄を上ライン又は下ライン上に停止させればよい。そこで、左ストップスイッチ７２→右ストップスイッチ７４の順にストップスイッチが操作された場合には、右リール４２Ｒの「スイカ」図柄が上ライン又は下ライン上に停止するように設定されたスベリテーブルに変更する。
【０１９５】
スベリテーブル第１変更処理が終了した後、ステップＳ９０５では、かかるタイミングで下ライン上に到達している到達図柄の図柄番号を確認する。続くステップＳ９０６では、ＲＡＭ１５３のスベリテーブル格納エリア１５３ｂにセットされたスベリテーブルのうち、到達図柄と対応する図柄番号の圧縮データから今回停止させるべきリールのスベリ量を算出し、ステップＳ９０７にて下ライン上に実際に停止させる停止図柄の図柄番号を決定する。ステップＳ９０８では今回停止させるべきリールの到達図柄の図柄番号と停止図柄の図柄番号が等しくなったか否かを判定し、等しくなった場合にはステップＳ９０９にてリールの回転を停止させるリール停止処理を行う。そして、ステップＳ９１０では、全てのリールが停止したか否かを判定する。第２停止指令に基づいて上述したステップＳ９０３〜ステップＳ９０９の処理を行った場合、未だに１つのリールが回転中である。かかる場合にはステップＳ９１０にて否定判定を行い、続くステップＳ９１１にてスベリテーブル第２変更処理を行う。
【０１９６】
ここで、スベリテーブル第２変更処理について図２３のフローチャートを用いて説明する。スベリテーブル第２変更処理では、ステップＳ１１０１にて現在セットされているスベリテーブルが入賞確定用スベリテーブルか否かを判定し、入賞確定用スベリテーブルである場合にはそのまま本処理を終了する。入賞確定用スベリテーブルでない場合にはステップＳ１１０２に進み、ＲＡＭ１５３の当選番号格納エリア１５３ａにセットされた当選番号を確認する。続くステップＳ１１０３では確認した当選番号が第２当選番号か否かを判定し、第２当選番号でないと判定した場合にはステップＳ１１０４にて現在停止している２つのリールの下ライン上に停止した停止図柄の図柄番号を確認する。ステップＳ１１０５では、各停止図柄の図柄番号が、現在セットされているスベリテーブルから一義的に導かれる変更図柄の図柄番号とそれぞれ一致しているか否かを判定し、少なくとも一方が一致していない場合にはスベリテーブルを変更することなくそのまま本処理を終了する。各停止図柄の図柄番号と各変更図柄の図柄番号が共に一致した場合にはステップＳ１１０６に進み、ＲＡＭ１５３のスベリテーブル格納エリア１５３ｂにセットされたスベリテーブルを、ライン変更用スベリテーブルに変更して本処理を終了する。例えば、スイカ当選フラグがセットされている状況下で左リール４２Ｌの「スイカ」図柄が上ライン上、中リール４２Ｍの「スイカ」図柄が中ライン上に停止した場合、右リール４２Ｒの「スイカ」図柄が下ライン上に停止するスベリテーブルに変更する。
【０１９７】
一方、ステップＳ１１０３にて肯定判定をした場合、すなわち確認した当選番号が第２当選番号であった場合、ステップＳ１１０７では、ＢＢ以外の当選が再遊技か否かを判定し、再遊技であった場合には上述したステップＳ１１０４〜ステップＳ１１０６の処理を行い、本処理を終了する。また、ＢＢ以外の当選が小役当選である場合には、ステップＳ１１０８にて第２当選番号時処理を行い、本処理を終了する。
【０１９８】
第２当選番号時処理では、図２４のフローチャートに示すように、ステップＳ１２０１にてＢＢ以外の当選がベル当選か否かを判定する。ベル当選であった場合にはステップＳ１２０２に進み、ＢＢ入賞及びベル入賞が共に成立する可能性があるか否かを判定する。具体的には、現在停止している２つのリールの下ライン上に停止した各停止図柄の図柄番号を確認し、有効ライン上に「７」図柄と「ベル」図柄が共に並んで停止しているか否かを判定する。本実施形態では、左リール４２Ｌの１５番図柄たる「ベル」図柄、中リール４２Ｍの１４番図柄たる「ベル」図柄が下ライン上に停止しているか否かを判定している。これら各図柄が下ライン上に停止している場合、下ライン上に「ベル」図柄が並んで停止し、上ライン上に「７」図柄が並んで停止していることとなり、右リール４２Ｒの停止結果によってＢＢ入賞及びベル入賞のいずれも成立する可能性がある。かかる場合にはステップＳ１２０３に進み、ＲＡＭ１５３のスベリテーブル格納エリア１５３ｂにセットされたスベリテーブルを、「７」図柄を上ライン上に停止させることが可能な場合には「７」図柄を上ライン上に停止させるように、且つ停止させることが不可能な場合には「ベル」図柄を下ライン上に停止させるように設定された同時成立用スベリテーブルに変更して本処理を終了する。
【０１９９】
ステップＳ１２０２において否定判定をした場合、続くステップＳ１２０４ではＢＢ入賞の成立する可能性があるか否か、すなわち有効ライン上に「７」図柄が並んで停止しているか否かを判定する。有効ライン上に「７」図柄が並んで停止している場合にはステップＳ１２０５に進み、ＢＢ入賞が成立するように設定されたＢＢ入賞用スベリテーブルに変更して本処理を終了する。また、ステップＳ１２０４にてＢＢ入賞の成立する可能性がないと判定した場合には、ステップＳ１２０６に進み、ベル入賞が成立するように設定されたベル入賞用スベリテーブルに変更して本処理を終了する。
【０２００】
ステップＳ１２０１にてＢＢ当選以外の当選役がベルでなかった場合には、当該当選役がスイカ又はチェリーであることを意味する。かかる場合にはステップＳ１２０７に進み、ＢＢ入賞の成立する可能性があるか否か、すなわち有効ライン上に「７」図柄が並んで停止しているか否かを判定する。有効ライン上に「７」図柄が並んで停止している場合にはステップＳ１２０８に進み、ＲＡＭ１５３のスベリテーブル格納エリア１５３ｂにセットされたスベリテーブルを、ＢＢ入賞が成立するように設定されたＢＢ入賞用スベリテーブルに変更して本処理を終了する。また、ステップＳ１２０７にてＢＢ入賞の成立する可能性がないと判定した場合には、ステップＳ１２０９に進み、ＲＡＭ１５３のスベリテーブル格納エリア１５３ｂにセットされたスベリテーブルを、ＢＢ以外の当選役と対応する入賞が成立するように設定された小役入賞用スベリテーブルに変更して本処理を終了する。
【０２０１】
スベリテーブル第２変更処理に続いて、ステップＳ９１２ではナビ図柄設定処理を行う。ナビ図柄設定処理では、ステップＳ１３０１にてナビフラグがセットされているか否かを判定し、セットされていない場合にはその後の処理を行うことなく本処理を終了する。ナビフラグがセットされている場合にはステップＳ１３０２に進み、今回の停止指令が第１停止指令か否かを判定する。今回の停止指令は第２停止指令であるため、ステップＳ１３０２にて否定判定を行い、示唆図柄選択処理を行うことなくナビ図柄設定処理を終了する。つまり、ナビ演出にて示唆すべきナビ図柄の選択は、第１停止指令に基づいてリールを停止させた後にのみ行われる。
【０２０２】
以上のように、第２停止指令に基づいて対応するリールを停止させると共にナビ図柄設定処理を行うと、ステップＳ９０２に戻り、回転中のリールと対応するストップスイッチが操作されて次の停止指令が発生するまで待機する。
【０２０３】
ステップＳ９０２にて回転中のリールと対応するストップスイッチが操作されて停止指令が発生した場合には、ステップＳ９０３に進み、今回の停止指令が第３停止指令か否かを判定する。２つのリールが停止しているときにストップスイッチが操作された場合、今回の停止指令は第３停止指令であることを意味する。かかる場合にはステップＳ９０３にて肯定判定を行い、スベリテーブル第１変更処理を行うことなくステップＳ９０５に進む。
【０２０４】
ステップＳ９０５では、かかるタイミングで下ライン上に到達している到達図柄の図柄番号を確認する。続くステップＳ９０６では、ＲＡＭ１５３のスベリテーブル格納エリア１５３ｂにセットされたスベリテーブルのうち、到達図柄と対応する図柄番号の圧縮データから今回停止させるべきリールのスベリ量を算出し、ステップＳ９０７にて下ライン上に実際に停止させる停止図柄の図柄番号を決定する。ステップＳ９０８では今回停止させるべきリールの到達図柄の図柄番号と停止図柄の図柄番号が等しくなったか否かを判定し、等しくなった場合にはステップＳ９０９にてリールの回転を停止させるリール停止処理を行う。そして、ステップＳ９１０では、全てのリールが停止したか否かを判定する。第３停止指令に基づいて上述したステップＳ９０３〜ステップＳ９０９の処理を行った場合には、全てのリールが回転を停止している。かかる場合にはステップＳ９１０にて肯定判定を行い、ステップＳ９１３にて終了コマンドをセットする。ここで、終了コマンドとは表示制御装置１１１に対して送信されるコマンドであり、表示制御装置１１１は、当該コマンドを受信することにより、ナビ演出を終了させるべくスピーカ１４や補助表示部１５等の駆動制御を行う。なお、終了コマンドの表示制御装置１１１への送信は、先述したタイマ割込み処理中のコマンド処理Ｓ２１０（図１１参照）にて行われる。その後、ステップＳ９１４にて払出判定処理を行って本処理を終了する。払出判定処理とは、入賞図柄の組合せが有効ライン上に並んでいることを条件の１つとしてメダルの払出枚数を設定する処理である。具体的には、小役入賞が有効ライン上に成立しているか否かを判定し、小役入賞が有効ライン上に成立していないときには小役当選フラグをリセットすると共にＲＡＭ１５３の払出予定数格納エリアに０をセットする。小役入賞が有効ライン上に成立しているときには、その小役入賞が小役当選フラグと対応する図柄の組合せか否かを判定し、一致していないときには上部ランプ１３等によりエラー表示を行うと共に払出予定数格納エリアに０をセットする。一致しているときには小役当選フラグをリセットすると共に、ＲＡＭ１５３の払出予定数格納エリアに成立した役と対応する払出数をセットする。また、再遊技入賞が有効ライン上に成立した場合には、再遊技当選フラグをリセットすると共に払出予定数格納エリアに０をセットし、再遊技を可能とする再遊技処理を行う。再遊技処理では、かかるゲームのベット数を確認し、確認結果と同数のベット数を再度設定する処理を行う。従って、再遊技入賞が成立すると、遊技者は所有するメダルを減らすことなく且つメダルを投入することなく次ゲームの遊技を行うことが可能となる。
【０２０５】
次に、ステップＳ６０５のメダル払出処理について、図２６のフローチャートに基づき説明する。
【０２０６】
メダル払出処理では、先ずステップＳ１４０１にて払出数カウンタがカウントした払出数と、払出予定数格納エリアに格納された払出予定数とが一致しているか否かを判定する。払出数と払出予定数とが一致していないときには、ステップＳ１４０２にてクレジットカウンタのカウント値が上限（貯留されているメダル数が５０枚）に達しているか否かを判定する。上限に達していないときには、ステップＳ１４０３，Ｓ１４０５にてクレジットカウンタのカウント値及び払出数をそれぞれ１加算する。その後、ステップＳ１４０６では、クレジット表示部３５及び獲得枚数表示部３７の枚数をそれぞれ１加算する表示部変更処理を行う。
【０２０７】
一方、ステップＳ１４０２にてクレジットカウンタのカウント値が上限に達しているときには、ステップＳ１４０４にてメダル払出用回転板を駆動してメダルをホッパ装置９１からメダル排出口１７を介してメダル受け皿１８へ払い出す。続くステップＳ１４０５ではホッパ装置９１に取り付けられた払出検出センサ９１ａのメダル検出信号に応じて払出数を１加算する。その後、ステップＳ１４０６にて獲得枚数表示部３７の枚数を１加算する表示部変更処理を行う。ステップＳ１４０６にて表示部変更処理を行った後、再びステップＳ１４０１に戻る。ステップＳ１４０１で払出数と払出予定数とが一致したときには、ステップＳ１４０７にて現在の遊技状態がボーナスゲームか否かを判定する。ボーナスゲームでない場合にはステップＳ１４０９に進み、払出終了処理を行った後に本処理を終了する。払出終了処理では、払出予定数格納エリアや払出数カウンタの値を０にリセットする。なお、獲得枚数表示部３７の値は、次ゲームを開始すべくメダルがベットされたときにリセットされる。また、現在の遊技状態がボーナスゲームである場合には、ステップＳ１４０８にて後述する残獲得数カウンタのカウント値から払出数を減算すると共に、残獲得枚数表示部３６の枚数を減算する処理を行う。その後、ステップＳ１４０９にて払出終了処理を行い、本処理を終了する。なお、残獲得枚数表示部３６の枚数を減算する処理は、ステップＳ１４０６の表示部変更処理にて行ってもよい。
【０２０８】
次に、ステップＳ６０６のボーナスゲーム処理について、図２７のフローチャートに基づき説明する。
【０２０９】
ボーナスゲーム処理の説明に先立ち、ボーナスゲームについて説明する。ＢＢゲームは、複数回のＲＢゲームで構成されている。ＲＢゲームは、１２回のＪＡＣゲームで構成されている。ＪＡＣゲームとは、ＪＡＣ図柄の組合せが有効ライン上に揃う確率つまりＪＡＣ入賞成立の確率が非常に高いゲームである。ＲＢゲームでＪＡＣ入賞が成立すると最大枚数（ここでは１５枚）のメダルが払い出される。そして、ＪＡＣ入賞が８回成立すると、ＪＡＣゲームが１２回行われる前であってもＲＢゲームが終了する。また、ＢＢゲームは、メダル払出数が所定数（具体的には４００枚）に達したことを以って終了する。そして、ＲＢゲームの途中でメダル払出数が所定数に達した場合、ＢＢゲームのみならずＲＢゲームも終了する。これは、ＢＢゲーム中のメダル払出数に上限をもたせることにより遊技者の射幸心を抑え、遊技の健全性を担保するための工夫である。さらに、本実施の形態では、ＲＢゲームに移行する図柄の組合せを設定しておらず、ＢＢゲームに移行した直後及びＲＢゲームが終了した直後にＲＢゲームに移行する構成としている。故に、ＢＢゲームとは、所定数のメダル払出が行われるまでＲＢゲームに連続して移行するゲームであるとも言える。
【０２１０】
さて、ボーナスゲーム処理では、先ずステップＳ１５０１にて遊技状態がボーナスゲームか否かを判定する。ボーナスゲーム中でないときにはステップＳ１５０２〜ステップＳ１５０５に示すボーナス図柄判定処理を行う。
【０２１１】
このボーナス図柄判定処理では、先ずステップＳ１５０２にてＢＢ当選フラグがセットされているか否かを判定し、セットされていないときにはそのまま本処理を終了する。ＢＢ当選フラグがセットされているときにはステップＳ１５０３に進み、今回有効ライン上にＢＢ図柄の組合せが停止したか否かを判定し、ＢＢ図柄の組合せが停止していないときにはそのまま本処理を終了する。一方、今回有効ライン上にＢＢ図柄の組合せが停止したときには、ステップＳ１５０４においてＢＢ開始処理を行う。ＢＢ開始処理では、ＢＢ当選フラグをリセットすると共にＢＢ設定フラグをセットしてボーナスゲームの１種であるＢＢゲームとする。また、ＢＢゲーム中に払出可能な残りのメダル数をカウントするための残獲得数カウンタに４００をセットすると共に、残獲得枚数表示部３６に４００を表示させる処理を行う。ちなみに、現在の遊技状態がボーナスゲームか否かの判定は、ＢＢ設定フラグのセット有無により判定している。続くステップＳ１５０５ではＲＢ開始処理を行い、その後本処理を終了する。ＲＢ開始処理では、成立可能なＪＡＣ入賞回数をカウントするための残ＪＡＣ入賞カウンタに８をセットすると共に、ＪＡＣゲームの残りゲーム数をカウントするための残ＪＡＣゲームカウンタに１２をセットする。
【０２１２】
ステップＳ１５０１で遊技状態がボーナスゲーム中のときには、ステップＳ１５０６に進み、ＪＡＣ図柄の組合せが有効ライン上に停止したか否かを判定する。ＪＡＣ図柄の組合せが有効ライン上に停止したときには、ステップＳ１５０７にて残ＪＡＣ入賞カウンタの値を１減算する。その後、或いはステップＳ１５０６にてＪＡＣ図柄の組合せが有効ライン上に停止しなかったときには、ＪＡＣゲームを１つ消化したことになるため、ステップＳ１５０８にて残ＪＡＣゲームカウンタの値を１減算する。続いて、ステップＳ１５０９では残ＪＡＣ入賞カウンタ又は残ＪＡＣゲームカウンタのいずれかが０になったか否かを判定する。いずれかが０になっていたとき、つまりＪＡＣ入賞が８回成立したかＪＡＣゲームが１２回消化されたときには、ＲＢゲームの終了条件が成立したことを意味するため、ステップＳ１５１０にて残ＪＡＣ入賞カウンタ及び残ＪＡＣゲームカウンタの値をリセットするＲＢ終了処理を行う。続くステップＳ１５１１では、残獲得数カウンタのカウント値が０か否かを確認する。０でない場合には、ＢＢゲーム中に払い出されたメダル数が所定数に達しておらず、ＢＢゲームの終了条件が成立していないことを意味するため、ステップＳ１５１２に進み、先述したＲＢ開始処理を行った後、本処理を終了する。
【０２１３】
また、ステップＳ１５０９において残ＪＡＣ入賞カウンタ及び残ＪＡＣゲームカウンタのいずれの値も０になっていないとき、つまりＪＡＣ入賞がまだ８回成立しておらずＪＡＣゲームも１２回消化されていないときには、ステップＳ１５１３に進み、残獲得数カウンタのカウント値が０か否かを確認する。０でない場合には、ＢＢゲーム中に払い出されたメダル数が所定数に達しておらず、ＢＢゲームの終了条件が成立していないことを意味するため、そのまま本処理を終了する。一方、残獲得数カウンタのカウント値が０である場合には、ＢＢゲームの終了条件が成立したことを意味するため、ステップＳ１５１４〜ステップＳ１５１５に示す特別遊技状態終了処理を行う。特別遊技状態終了処理では、先ずステップＳ１５１４において、先述したＲＢ終了処理を行う。その後、ステップＳ１５１５にてＢＢ設定フラグや各種カウンタなどを適宜リセットしたりエンディング処理を行ったりするＢＢ終了処理を行い、本処理を終了する。また、前記ステップＳ１５１１にて残獲得数カウンタのカウント値が０である場合にも、ＢＢゲームの終了条件が成立したことを意味するため、ステップＳ１５１５にてＢＢ終了処理を行い、本処理を終了する。
【０２１４】
次に、ナビ演出が行われる際の表示制御装置１１１によるナビ演出処理の具体的手順について概説する。上述した通り、ナビ演出とは、「７」図柄と、最初に停止させたリールに付された図柄のうち有効ライン上に停止した図柄とを用いて、ＢＢ当選を示唆する演出である。換言すれば、表示制御装置１１１は、当選役たるＢＢと、有効ライン上に停止した図柄と対応する役とを示唆する複数役示唆手段を備えているとも言える。図２８は、表示制御装置１１１内のＣＰＵにより実行されるナビ演出処理を示すフローチャートである。表示制御装置１１１は、図２８に示す手順に従って主制御装置１３１から提供される各種コマンドを処理しつつスピーカ１４や補助表示部１５等の駆動制御を実行する。
【０２１５】
先ずステップＳ１６０１では、現在ナビ演出を行っているか否かを判別する。ナビ演出を行っていない場合には、ステップＳ１６０２にて主制御装置１３１から開始コマンドを受信したか否かを判別し、開始コマンドを受信していなければそのまま本処理を終了する。開始コマンドを受信した場合、ステップＳ１６０３にてナビ演出を行っていることを示すナビ表示フラグをセットする。その後、ステップＳ１６０４ではナビ演出開始処理を行って本処理を終了する。ナビ演出開始処理では、表示制御装置１１１のＲＯＭに予め記憶されたナビ演出用データに基づいて、スピーカ１４から音声を出力させると共に補助表示部１５に所定の表示を行わせる制御を開始する。具体的には、当選役が示唆されることを報知すべく、スピーカ１４から音声を出力させると共に補助表示部１５に所定の表示を行わせる。
【０２１６】
また、ステップＳ１６０１にてナビ演出を行っている場合、具体的にはナビ表示フラグがセットされている場合、ステップＳ１６０５にて主制御装置１３１からコマンドを受信したか否かを判別する。コマンドを受信していない場合にはそのまま本処理を終了し、コマンドを受信した場合にはステップＳ１６０６に進み、そのコマンドが図柄コマンドか否かを判別する。図柄コマンドである場合にはステップＳ１６０７に進み、図柄コマンドと対応する図柄及び「７」図柄を示唆表示するよう補助表示部１５の表示制御を行って本処理を終了する。
【０２１７】
一方、ステップＳ１６０６にて受信したコマンドが図柄コマンドでない場合、そのコマンドは終了コマンドであることを意味する。かかる場合にはステップＳ１６０８に進み、ナビ演出を終了させるナビ演出終了処理を行って本処理を終了する。ナビ演出終了処理では、ナビ表示フラグをリセットすると共に、ＢＢ当選を教示すべくスピーカ１４や補助表示部１５等の駆動制御を行う。
【０２１８】
ここで、ＢＢ当選フラグがセットされた場合に行われるナビ演出の例を、図２９の一連の表示及びリールの変動態様に基づいて説明する。
【０２１９】
図２９（ａ）に示すように、スタートレバー７１の操作に伴って各リール４２Ｌ，４２Ｍ，４２Ｒが回転を開始すると、補助表示部１５に青年キャラクタが表示されると共に、スピーカ１４から「当選役をナビするよ！」という音声が出力される。このとき、補助表示部１５の下部には、スピーカ１４から出力される音声が文字化されて表示される。
【０２２０】
その後、遊技者がいずれかのリールを停止させるべくストップスイッチを操作した場合、停止したリールの停止出目に基づいて２つの図柄が補助表示部１５に表示されると共に、表示された図柄と対応する役が音声にて報知される。図２９（ｂ）では、左リール４２Ｌを最初に停止させるべく左ストップスイッチ７２が操作され、上ライン上に９番の「スイカ」図柄、中ライン上に８番の「リプレイ」図柄、下ライン上に７番の「ベル」図柄が停止している。かかる場合、ナビ図柄設定処理においてスイカコマンドがセットされるため、補助表示部１５には「スイカ」図柄と「７」図柄が表示されると共に、スピーカ１４から「スイカかボーナスだよ！」という音声が出力される。このとき、補助表示部１５の下部には、スピーカ１４から出力される音声が文字化されて表示される。
【０２２１】
遊技者が各ストップスイッチ７２〜７４を操作して全てのリール４２Ｌ，４２Ｍ，４２Ｒが停止すると、当選役が教示される。図２９（ｃ）では、全リール４２Ｌ，４２Ｍ，４２Ｒが停止した際に「スイカ」図柄が有効ライン上に並んで停止しておらず、スイカ入賞が成立していない。そこで、補助表示部１５では「スイカ」図柄と「７」図柄のうち「スイカ」図柄を否定する表示が行われると共に、スピーカ１４から「スイカじゃないからボーナスだね！」という音声が出力され、ＢＢ当選していることが教示される。このとき、補助表示部１５には、ＢＢ当選となったことを祝福する青年キャラクタが表示されると共に、その下部にはスピーカ１４から出力される音声が文字化されて表示される。
【０２２２】
以上詳述した本実施の形態によれば、以下の優れた効果を奏する。
【０２２３】
ナビ演出を行う場合に、「７」図柄と、最初に停止させたリールに付された図柄のうち有効ライン上に停止した図柄とを用いてＢＢ当選を教示する構成とすることにより、遊技者を混乱させることなくＢＢ当選を教示することが可能となる。全リール４２Ｌ，４２Ｍ，４２Ｒが停止した際に有効ライン上に停止した図柄と対応する入賞が成立しなかった場合、一般の遊技者であれば他方の役であるＢＢに当選していると推測するからである。さらにいうと、例えばナビ演出にて１つの役のみを示唆する構成とした場合、遊技の初心者等にあっては、示唆された役と対応する入賞が成立しない矛盾が発生したことの意味自体を理解できない可能性がある。しかしながら、複数の役を示唆するナビ演出を行う構成とすれば、仮に矛盾が発生したとしても、いずれか一方の役に当選していたのではないかと推測させることが可能となる。何らかの役に当選することを期待しながら遊技を行っていることが一般的だからである。
【０２２４】
確かに、有効ライン上に停止した図柄を把握することなく複数の図柄を示唆するナビ演出を行うことも可能である。しかしながら、かかる構成とした場合、いずれの図柄も有効ライン上に停止しない可能性が生じ、遊技者をかえって混乱させてしまうことが懸念される。例えば所定のタイミングでストップスイッチ７２〜７４を操作しなければ有効ライン上に停止しない「スイカ」図柄と「７」図柄を用いてナビ演出を行った場合、いずれの図柄も有効ライン上に停止しない可能性がある。かかる場合、遊技者はいずれの役に当選しているのかを的確に推測することができずに混乱してしまう可能性が生じることとなる。また、いずれの図柄も有効ライン上に停止しなかった時点でそのゲームにおける入賞への期待感が損なわれることとなり、複数のストップスイッチ７２〜７４を遊技者に操作させるというスロットマシン１０の特徴が損なわれてしまうことにも繋がり得る。一方、有効ライン上に停止した図柄を用いてナビ演出を行う本構成の場合、少なくとも一方の図柄は有効ライン上に停止しているため、遊技者に当該図柄と対応する入賞を成立させるべくストップスイッチを操作するよう促すことが可能となり、スロットマシン１０の特徴が損なわれてしまうことを抑制させることが可能となる。また、遊技者によるストップスイッチの操作結果に応じてナビ図柄を設定することができるため、ナビ演出にて示唆されるナビ図柄と遊技者によるストップスイッチの操作結果とを密接に関連付けることが可能となり、遊技への積極関与を促すことが可能となる。さらに、有効ライン上に停止した図柄と対応する入賞が成立しなかったという結果からＢＢ当選していることを推測することが可能となるため、遊技者を混乱させてしまう心配もない。以上の結果、遊技者を混乱させることなくＢＢ当選を教示することが可能となる。
【０２２５】
第１停止指令に基づいて対応するリールを停止させた後に複数の図柄を示唆する構成とすることにより、ナビ演出にて示唆可能な図柄の自由度が低下することを抑制することが可能となる。有効ライン上に入賞図柄の組合せが形成された場合に特典を付与される構成においては、リールが停止する毎に示唆可能な図柄の種類が減少していくこととなるからである。
【０２２６】
当選役が示唆されることをいずれかのリール４２Ｌ，４２Ｍ，４２Ｒが停止する前に報知する構成とすることにより、遊技の開始段階から遊技への積極参加を促すことが可能となる。一般の遊技者であれば、自己の期待する入賞と対応する図柄を有効ライン上に停止させるべくストップスイッチ７２〜７４を操作することが想定されるからである。また、かかる停止出目に基づいて当選役の示唆を行うことが可能となるため、特典が付与されることに対する遊技者の期待感を高めることが可能となる。さらにいうと、かかる構成とすることにより、遊技者によるストップスイッチの操作という積極動作に基づいて当選役が決定されているかのような印象を遊技者に与えることが可能となり、特典が付与されることに対する遊技者の期待感を高めると共に遊技への積極関与を促すことが可能となる。いずれかのリール４２Ｌ，４２Ｍ，４２Ｒが停止する前に複数の役を示唆するナビ演出を行う構成とした場合、示唆された役と対応する図柄を狙わなければならないかのような受動的な印象を遊技者に抱かせてしまう可能性が生じるからである。
【０２２７】
ＢＢ当選している状況下でナビ演出を行う構成とすることにより、ＢＢ当選しているにも関わらず遊技者が気付くことなく遊技を終了する機会を低減させることが可能となる。また、かかる構成においては、「７」図柄と、有効ライン上に停止した図柄が表示されることとなるため、遊技者を混乱させることなくＢＢに当選していることを示唆することが可能となる。遊技者はＢＢ当選を期待しながら遊技を行うことが一般的であるため、仮に遊技の初心者等であったとしても、有効ライン上に停止した図柄と対応する入賞が成立しなかった以上は当選役がＢＢであると推測するからである。
【０２２８】
ナビ図柄設定処理において、有効ライン上に停止した図柄から１つを選択してナビ図柄とすることにより、遊技者を混乱させることなくＢＢ当選を示唆することが可能となる。例えば各有効ライン上に停止した図柄を全てナビ図柄として表示する構成とした場合、いずれの役に当選していたのかを推測することが困難なものとなり得るからである。また、「スイカ」図柄→「ベル」図柄→「リプレイ」図柄の順で停止出目に含まれている図柄を確認し、確認した図柄が含まれていた時点でナビ図柄を決定する構成とすることにより、比較的簡単な処理構成でナビ演出を行うことが可能となる。また、スロットマシン１０の設計者がナビ図柄として表示させたいと考える図柄を可能な限り表示させることが可能となり、設計者の意図する通りのナビ演出を行わせることが可能となる。例えば停止出目を確認した後にその図柄の中から抽選にてナビ図柄を選択する構成とした場合、各リール４２Ｌ，４２Ｍ，４２Ｒに配置されている数の少ない「スイカ」図柄がナビ図柄として選択される機会が限られたものとなる可能性が生じるからである。加えて、「スイカ」図柄，「ベル」図柄，「リプレイ」図柄のいずれも有効ライン上に停止していない場合に「７」図柄を表示する、すなわち当選役と対応する図柄の優先順位を最も低く設定することにより、可能な限り２種類の図柄を用いてナビ演出を行うことが可能となり、いずれの役に当選しているのかという期待感を高めることが可能となる。さらに、「スイカ」図柄の優先順位を最も高く設定することにより、遊技への積極参加を促しつつＢＢ当選への期待感を高めることが可能となる。「スイカ」図柄は所定のタイミングでストップスイッチ７２〜７４を操作しなければ有効ライン上に停止しない図柄であるため、遊技者に「スイカ」図柄を狙って他のストップスイッチを操作するよう促すことが可能となるからである。また、「スイカ」図柄は、如何なるタイミングでストップスイッチ７２〜７４を操作しても有効ライン上に停止する「ベル」図柄等の他の図柄と比して有効ライン上に停止する確率が低いため、「スイカ」図柄がナビ図柄として表示された時点でＢＢ当選しているのではないかと遊技者の期待感を高めることが可能となるからである。
【０２２９】
全リール４２Ｌ，４２Ｍ，４２Ｒの停止後にＢＢ当選を教示する構成とすることにより、仮に「７」図柄と「スイカ」図柄がナビ図柄として表示され、遊技者がスイカ入賞の成立し得るタイミングでストップスイッチ７２〜７４を操作したか否かの判別をつけられない場合であっても、確実にＢＢ当選していることを把握させることが可能となる。故に、リールが回転している最中にはナビ図柄を狙って各ストップスイッチ７２〜７４を操作するよう促しつつ、リールの停止後にＢＢ当選を教示することが可能となり、ゲームの開始段階から終了段階までＢＢ当選していることへの期待感を持続させることが可能となる。
【０２３０】
ＢＢ当選が持ち越されている状況下で小役又は再遊技に当選した場合にはナビ演出を行わない構成とすることにより、遊技者が当選役を把握できずに混乱することや不利益を被ることを回避することが可能となる。例えば、ＢＢとスイカに当選している状況下でナビ演出を行う際に、「７」図柄と「スイカ」図柄と有効ライン上に停止した例えば「ベル」図柄をナビ図柄として表示する構成とした場合、いずれの入賞も成立しなかった際に当選役が何であったのかを推測することが困難なものとなってしまうからである。また、例えばＢＢと再遊技に当選している状況下でナビ演出を行う際に、「７」図柄と有効ライン上に停止した「リプレイ」図柄をナビ図柄として表示する構成とした場合、再遊技入賞が成立したことを以ってＢＢに当選していないと遊技者が誤認し、ＢＢ当選が持ち越されているにも関わらず遊技を終了してしまうことが懸念されるからである。
【０２３１】
第１停止指令に基づいて対応するリールを停止させた後に停止出目を確認し、ナビ図柄を決定する構成とすることにより、有効ライン上に停止した各停止図柄を確実に把握した上でナビ図柄を決定することが可能となり、ナビ図柄を補助表示部１５に表示した場合に当該図柄が有効ライン上に停止していない不具合が発生することを抑制することが可能となる。
【０２３２】
なお、上述した実施の形態の記載内容に限定されず、例えば次のように実施してもよい。
【０２３３】
（ａ）上記実施の形態では、ＢＢ当選している場合にナビ演出を行う構成としたが、かかる構成に限定されるものではなく、小役や再遊技に当選した場合にナビ演出を行う構成としてもよい。また、例えばスイカ役等の取りこぼしの発生し得る役に当選した場合にナビ演出を行う構成とすれば、取りこぼしが発生したことを遊技者に教示することが可能となり、取りこぼしの発生機会を低減させるよう遊技への積極関与を促すことが可能となる。
【０２３４】
（ｂ）上記実施の形態では、ナビ図柄を設定する場合に、「スイカ」図柄→「ベル」図柄→「リプレイ」図柄→「７」図柄の優先順位で決定する構成としたが、把握した図柄の中から抽選でナビ図柄を決定する構成としてもよい。例えば、各図柄をナビ図柄として設定する選択率を予め記憶させておき、かかる選択率と把握した図柄とに基づいてナビ図柄を決定する構成とする。或いは、停止出目に応じた選択率を予め記憶させておく構成とする。但し、これらの構成においては、予め定めた確率の下にナビ図柄が決定されることとなるため、スロットマシン１０の設計者が意図するナビ演出の行われない機会が生じ得る。例えば「スイカ」図柄は「ベル」図柄と比して配置されている数が少ないため、有効ライン上に停止する機会も限定されることとなるが、抽選でナビ図柄を決定する構成とした場合、ナビ図柄として「スイカ」図柄が設定される機会がさらに限られたものとなってしまうからである。その一方、これら構成とすれば、遊技者が各ストップスイッチを所定のタイミングで常時操作している場合であっても、種々のナビ図柄を表示させることが可能となるという新たな効果を奏する。すなわち、上記実施形態のように選択順序に基づいてナビ図柄を決定する場合、遊技者が常に「スイカ」図柄を有効ライン上に停止させ得るタイミングで各ストップスイッチを操作していると、ナビ演出では「７」図柄と「スイカ」図柄がナビ図柄として表示されることとなるが、選択率に基づいてナビ図柄を決定する場合、選択率と対応する確率で「スイカ」図柄以外の図柄をナビ図柄として表示させることが可能となる。
【０２３５】
（ｃ）上記実施の形態では、ナビ図柄を設定する場合に、「スイカ」図柄→「ベル」図柄→「リプレイ」図柄→「７」図柄の優先順位で決定する構成としたが、「スイカ」図柄→「リプレイ」図柄→「ベル」図柄→「７」図柄の優先順位で決定する構成としてもよい。すなわち、当選役たるＢＢを除き、当選確率の低い役ほどナビ図柄として選択される優先順位が高くなる構成とする。かかる構成とすれば、遊技者のＢＢ当選に対する期待感を好適に高めることが可能となる。
【０２３６】
（ｄ）上記実施の形態では、ナビ演出を行う場合に役と対応する図柄を表示する構成としたが、遊技者が当選役を把握できる構成であればよい。例えば、各役と一義的に対応する色を設定し、所定の色の服を着たキャラクタを表示する構成としても、遊技者に当選役を示唆することが可能である。すなわち、緑色の服を着たキャラクタを表示すればスイカ役を示唆することが可能であるし、黄色の服を着たキャラクタを表示すればベル役を示唆することが可能である。かかる構成とすれば、例えば入賞成立となる図柄の組合せが同一図柄の組合せでない場合において、遊技者を混乱させることなく当選役を示唆することが可能となる。
【０２３７】
（ｅ）上記実施の形態では、第１停止指令に基づいて対応するリールを停止させた後に停止出目を把握してナビ図柄を設定する構成としたが、対応するリールを停止させる前に停止出目を把握してナビ図柄を設定する構成としてもよい。スベリテーブルには、ストップスイッチの操作されたタイミングで下ライン上に到達している到達図柄と下ライン上に実際に停止させる停止図柄との関係が予め定められている。したがって、スベリテーブルに基づいてリールの停止態様を決定する構成の場合、リールを停止させた後に停止出目を把握せずとも、ストップスイッチの操作された段階で停止出目を把握することが可能である。故に、かかる段階でナビ図柄を設定する構成とすれば、比較的速やかにナビ演出にて示唆する図柄を決定することが可能となり、ナビ演出を円滑に行うことが可能となる。
【０２３８】
（ｆ）上記実施の形態では、予め記憶された優先順位に基づいて各有効ライン上に停止した図柄からナビ図柄を選択する構成としたが、かかる構成に限定されるものではなく、例えば予め定めた所定位置（例えば下ライン上）に停止した図柄をナビ図柄として設定する構成であってもよい。かかる構成とすれば、各有効ライン上に停止した図柄を把握せずともナビ図柄を設定することが可能となるため、主制御装置１３１の処理負荷を軽減させることが可能となる。また、上記実施の形態では、所定位置（下ライン上）に到達している図柄の図柄番号を確認し、確認結果に基づいて各有効ライン上に停止した図柄を把握する構成としたが、所定位置に停止した図柄のみを把握する構成としてもよい。所定位置に停止した図柄を把握すれば他の位置にどの図柄が停止しているかを導出することができるからである。
【０２３９】
（ｇ）上記実施の形態では、ＢＢ当選が持ち越されている状況下で他の役に当選した場合にはナビ演出を行わない構成としたが、ナビ演出を行う構成としてもよい。但し、かかる構成の場合には、遊技者に確実にＢＢ当選を教示すべく全リール４２Ｌ，４２Ｍ，４２Ｒの停止後にＢＢ当選を教示することが望ましい。また、他の当選役と対応する図柄が有効ライン上に停止した場合を除き、「７」図柄と、有効ライン上に停止した図柄とを用いてナビ演出を行うことが望ましい。例えばＢＢとスイカに当選した場合において、持ち越されないスイカ当選を示唆するよりは持ち越されるＢＢ当選を示唆した方が遊技者の遊技意欲を駆り立たせることが可能だからである。
【０２４０】
（ｈ）上記実施の形態では、第１停止指令に基づいて対応するリールを停止させた後にナビ図柄を決定する構成としたが、第２停止指令に基づいて対応するリールを停止させた後に入賞が成立し得る可能性のある図柄を把握し、当該図柄と「７」図柄とを用いてナビ演出を行う構成としてもよい。但し、かかる場合にはナビ演出にて表示可能なナビ図柄の種類が限られてしまい、ナビ演出が単調化してしまうことが懸念される。
【０２４１】
（ｉ）上記実施の形態では、ナビ演出を行う場合にスピーカ１４から音声を出力すると共に補助表示部１５にて所定の表示を行う構成としたが、スピーカ１４から音声を出力するのみの演出や補助表示部１５にて表示のみを行う演出であってもよいことは言うまでもない。
【０２４２】
（ｊ）上記実施の形態では、メダルが３枚ベットされた場合のゲームを例としてナビ演出を説明したが、１枚ベットされた場合や２枚ベットされた場合のゲームであっても同様のナビ演出が行われることは言うまでもない。
【０２４３】
（ｋ）上記実施の形態では、ナビ演出を行う場合に２種類の役を示唆する構成としたが、これに加えて、１種類の役のみを示唆するナビ演出や３種類以上の役を示唆するナビ演出を行ってもよいことは言うまでもない。但し、３種類以上の役を示唆するナビ演出を行う場合には、遊技者が当選役を把握できるよう全リール４２Ｌ，４２Ｍ，４２Ｒの停止後に当選役を教示することが望ましい。
【０２４４】
（ｌ）上記実施の形態では、ナビ演出を行うか否かを主制御装置１３１が決定する構成としたが、表示制御装置１１１が決定する構成としてもよい。主制御装置１３１から当選役の有無やゲームの進行状況、第１停止指令に基づいて停止したリールの停止出目等をコマンドとして表示制御装置１１１に逐次送信する構成とすれば、受信したコマンド内容に基づいて表示制御装置１１１がナビ演出を行うか否かを決定することが可能となる。かかる構成とすれば、主制御装置１３１の処理負荷を軽減させつつ上記実施形態と同様の作用効果を奏することが可能となる。
【０２４５】
（ｍ）上記実施の形態では、小役入賞が成立した場合にメダルを払い出す特典を付与する構成としたが、かかる構成に限定されるものではなく、遊技者に何らかの特典が付与される構成であればよい。例えば、小役入賞が成立した場合にメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０２４６】
（ｎ）上記実施の形態では、円筒骨格部材５０の外周面に、図柄が印刷されたベルトを貼付する構成としたが、円筒骨格部材とベルトとを一体形成し、このベルトの外周面に図柄を個別に貼付する構成としてもよい。かかる場合には、この一体形成の外周面が無端状ベルトに相当する。
【０２４７】
（ｏ）上記実施の形態では、状態移行図柄としての「７」図柄が有効ライン上に揃った場合にメダル払出を行わない構成としたが、メダル払出を行う構成としてもよい。
【０２４８】
（ｐ）上記実施の形態では、リールを３つ並列して備え、有効ラインとして５ラインを有するスロットマシンについて説明したが、かかる構成に限定されるものではなく、例えばリールを５つ並列して備えたスロットマシンや、有効ラインを７ライン有するスロットマシンであってもよい。
【０２４９】
（ｑ）上記実施の形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＣＴゲームを備えたタイプなど、どのようなスロットマシンにこの発明を適用してもよく、何れの場合であっても上述した実施の形態と同様の作用効果を奏することは明らかである。なお、これらの各タイプにおけるボーナス当選としては、ＢＢ当選、ＲＢ当選、ＳＢ当選、ＣＴ当選などが挙げられる。
【０２５０】
（ｒ）各リール４２Ｌ，４２Ｍ，４２Ｒの図柄としては、絵、数字、文字等に限らず、幾何学的な線や図形等であってもよい。また、光や色等によって図柄を構成することも可能であるし、立体的形状等によっても図柄を構成し得るし、これらを複合したものであっても図柄を構成し得る。即ち、図柄は識別性を有した情報（識別情報）としての機能を有するものであればよい。
【０２５１】
（ｓ）上記実施の形態では、ベットされたメダル数に応じて設定される有効ライン数が変化するスロットマシン１０について説明したが、ベットされたメダル数に関わらず一定数（例えば５本）の有効ラインを設定するスロットマシンに適用してもよい。かかるスロットマシンに適用した場合であっても、上記実施の形態と同様の作用効果を奏することは明らかである。
【０２５２】
（ｔ）上記実施の形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【符号の説明】
【０２５３】
１０…遊技機としてのスロットマシン、１１…遊技機本体の一部を構成する筐体、１２…遊技機本体の一部又は遊技機本体の開閉部材を構成する前面扉、１４…示唆演出手段を構成するスピーカ、１５…示唆演出手段を構成する補助表示部、３１…表示窓、４２…循環表示手段を構成すると共に周回体又は無端状ベルトとしてのリール、６１…循環表示手段を構成すると共に駆動手段としてのステッピングモータ、７１…始動操作手段としてのスタートレバー、７２〜７４…停止操作手段としてのストップスイッチ、１１１…示唆演出手段等を構成する表示制御装置、１３１…停止制御手段や有効絵柄把握手段等を構成する主制御装置、１５１…メイン制御手段等の各種制御手段を構成するＣＰＵ、１５２，１５３…記憶手段としてのＲＯＭ，ＲＡＭ、１６１…電源装置。
【図１】
2014110963.tif 000003
【図２】
2014110963.tif 000004
【図３】
2014110963.tif 000005
【図４】
2014110963.tif 000006
【図５】
2014110963.tif 000007
【図６】
2014110963.tif 000008
【図７】
2014110963.tif 000009
【図８】
2014110963.tif 000010
【図９】
2014110963.tif 000011
【図１０】
2014110963.tif 000012
【図１１】
2014110963.tif 000013
【図１２】
2014110963.tif 000014
【図１３】
2014110963.tif 000015
【図１４】
2014110963.tif 000016
【図１５】
2014110963.tif 000017
【図１６】
2014110963.tif 000018
【図１７】
2014110963.tif 000019
【図１８】
2014110963.tif 000020
【図１９】
2014110963.tif 000021
【図２０】
2014110963.tif 000022
【図２１】
2014110963.tif 000023
【図２２】
2014110963.tif 000024
【図２３】
2014110963.tif 000025
【図２４】
2014110963.tif 000026
【図２５】
2014110963.tif 000027
【図２６】
2014110963.tif 000028
【図２７】
2014110963.tif 000029
【図２８】
2014110963.tif 000030
【図２９】
2014110963.tif 000031